(57)【要約】【課題】携帯端末機におけるサービス制限装置及び方法を提供する。【解決手段】携帯端末機におけるサービス利用制限方法は、所定の発信又は受信が要請されると、サービス制限モード状態を確認する過程と、上記サービス制限モードが活性化状態であれば、所定の発信又は受信電話番号が事前に通信許容電話番号リストに登録されている電話番号であるかを判断する過程と、上記発信又は受信電話番号が通信許容電話番号リストに登録されている電話番号であれば、発信又は受信を許容し、上記発信又は受信電話番号が通信許容電話番号リストに登録されている電話番号でなければ、発信又は受信を制限する過程を含む。【選択図】図４
2007282208.tif 000002
【特許請求の範囲】
【請求項１】
携帯端末機におけるサービス利用制限方法において、
所定の発信又は受信が要請されると、サービス制限モード状態を確認し、
上記サービス制限モードが活性化状態であれば、所定の発信又は受信電話番号が事前に通信許容電話番号リストに登録されている電話番号であるかを判断し、
上記発信又は受信電話番号が通信許容電話番号リストに登録されている電話番号であれば、発信又は受信を許容し、
上記発信又は受信電話番号が通信許容電話番号リストに登録されている電話番号でなければ、発信又は受信を制限する
ことを特徴とする携帯端末機におけるサービス利用制限方法。
【請求項２】
上記サービス制限モードが非活性化状態であれば、上記発信又は受信を進行する
ことを特徴とする請求項１に記載の携帯端末機におけるサービス利用制限方法。
【請求項３】
上記発信又は受信電話番号が通信許容電話番号リストに登録されている電話番号でなければ、サービス制限モードが活性化されていることを知らせる案内メッセージを出力する
ことを特徴とする請求項１に記載の携帯端末機におけるサービス利用制限方法。
【請求項４】
上記案内メッセージの出力は、発信要請によってサービス制限モードが活性化されていることを知らせる案内メッセージを画面上に表示し、
受信要請の際には、上記受信する電話番号のみを画面上に表示する
ことを特徴とする請求項３に記載の携帯端末機におけるサービス利用制限方法。
【請求項５】
上記受信要請の際に、該当携帯端末機がサービス制限モードで活性化されていることを知らせるメッセージの伝送を含む案内メッセージを出力する
ことを特徴とする請求項３に記載の携帯端末機におけるサービス利用制限方法。
【請求項６】
携帯端末機における発信制限方法において、
発信が要請されると、サービス制限モード状態を確認し、
上記サービス制限モードが活性化状態であれば、上記入力される発信電話番号が事前に発信許容電話番号リストに登録されている電話番号であるかを判断し、
上記発信電話番号が登録されている電話番号であれば、発信を許容して進行し、
上記発信電話番号が登録されている電話番号でなければ、発信を制限することを知らせる案内メッセージを表示する
ことを特徴とする携帯端末機における発信制限方法。
【請求項７】
上記サービス制限モードが非活性化状態であれば、上記発信を進行する
ことを特徴とする請求項６に記載の携帯端末機における発信制限方法。
【請求項８】
上記発信電話番号が発信許容電話番号リストに登録されている電話番号でなければ、上記発信を制限する
ことを特徴とする請求項６に記載の携帯端末機における発信制限方法。
【請求項９】
携帯端末機における発信制限方法において、
所定のショートカットキー入力を通じて発信が要請されると、サービス制限モード状態を確認し、
上記サービス制限モードが活性化状態であれば、上記入力されるショートカットキーに相応する発信電話番号が存在するのかを確認し、
上記ショートカットキーに相応する発信電話番号が存在すれば、上記発信電話番号が発信許容電話番号リストに登録されている電話番号であるかを判断し、
上記発信電話番号が発信許容電話番号リストに登録されている場合、上記発信電話番号に相応するショートカットキー入力による発信を進行し、
上記発信電話番号が発信許容電話番号リストに登録されていない場合、上記発信電話番号に相応するショートカットキー入力による発信を制限する
ことを特徴とする携帯端末機における発信制限方法。
【請求項１０】
上記携帯端末機における発信を制限する方法は、電話番号を発信許容電話番号リストに登録し、上記登録された電話番号をショートカットキーにそれぞれ指定する
ことを特徴とする請求項９に記載の携帯端末機における発信制限方法。
【請求項１１】
上記ショートカットキーは、数字ボタン１乃至９、＃、及び＊の中の一つであるか、または、少なくとも２文字の組み合わせであって、
その組み合わせの各文字は、１乃至９、＃、及び＊の中の一つである
ことを特徴とする請求項１０に記載の携帯端末機における発信制限方法。
【請求項１２】
上記所定の発信電話番号が直接に入力されることを確認し、上記ショートカットキーでなく直接に入力された電話番号からの発信を制限する
ことを特徴とする請求項９に記載の携帯端末機における発信制限方法。
【請求項１３】
上記直接に入力した電話番号からの発信を制限する方法は、サービス制限モードによって発信を進行することができないことを知らせる案内メッセージを表示する
ことを特徴とする請求項１２に記載の携帯端末機における発信制限方法。
【請求項１４】
上記入力されるショートカットキーに相応する該当発信電話番号が存在しない場合には、ショートカットキーが指定されていないということを知らせる案内メッセージを表示する
ことを特徴とする請求項９に記載の携帯端末機における発信制限方法。
【請求項１５】
上記サービス制限モードが非活性化状態であれば、上記入力されるショートカットキーに相応する該当発信電話番号に対する発信を進行する
ことを特徴とする請求項９に記載の携帯端末機における発信制限方法。
【請求項１６】
携帯端末機における受信制限方法において、
受信が認知されるとサービス制限モード状態を確認し、
上記サービス制限モードが活性化状態であれば、上記受信認知による受信電話番号が受信許容電話番号リストに登録されている番号であるかを判断し、
上記受信電話番号が受信許容電話番号リストに登録されている電話番号であれば、上記受信を進行し、
上記受信電話番号が受信許容電話番号リストに登録されている電話番号でなければ、上記受信を制限する
ことを特徴とする携帯端末機における受信制限方法。
【請求項１７】
上記サービス制限モードが非活性化状態であれば、上記受信を進行する
ことを特徴とする請求項１６に記載の携帯端末機における受信制限方法。
【請求項１８】
上記受信要請による受信電話番号が受信許容電話番号リストに登録されているかを確認し、受信電話から番号を抽出して受信許容電話番号リストに登録されている電話番号と比較する
ことを特徴とする請求項１６に記載の携帯端末機における受信制限方法。
【請求項１９】
上記受信制限方法において、発信者の電話番号が受信許容電話番号リストに登録されていないために受信が制限されたことを知らせる案内メッセージを、上記受信電話に対して伝送する
ことを特徴とする請求項１６に記載の携帯端末機における受信制限方法。
【請求項２０】
上記受信制限方法において、受信電話番号が受信許容電話番号リストに登録されていないために受信が制限されたことを知らせる案内メッセージを表示する
ことを特徴とする請求項１６に記載の携帯端末機における受信制限方法。
【請求項２１】
携帯端末機におけるサービス利用制限方法において、
所定のサービスが要請されると、サービス制限モード状態を確認し、
上記サービス制限モードが活性化状態であれば、上記要請されるサービスがサービス許容リストに登録されているサービスであるかを判断し、
上記要請サービスがサービス許容リストに登録されていないサービスであれば、該当サービス利用を制限し、
上記要請サービスがサービス許容リストに登録されているサービスであれば、上記要請される該当サービスを実行する
ことを特徴とする携帯端末機におけるサービス利用制限方法。
【請求項２２】
上記携帯端末機におけるサービス利用を制限する方法は、上記サービス許容リストに少なくとも一つのサービスを登録する
ことを特徴とする請求項２１に記載の携帯端末機におけるサービス利用制限方法。
【請求項２３】
上記サービスは、発信／受信サービス、ＳＭＳ（Ｓｈｏｒｔ Ｍｅｓｓａｇｅ Ｓｅｒｖｉｃｅ）／ＭＭＳ（Ｍｕｌｔｉｍｅｄｉａ Ｍｅｓｓａｇｉｎｇ Ｓｅｒｖｉｃｅ）／Ｖｏｉｃｅ及びデータ通信サービスの中の少なくとも一つのサービスを含む
ことを特徴とする請求項２１に記載の携帯端末機におけるサービス利用制限方法。
【請求項２４】
上記要請された所定のサービスが認知されると、上記要請サービスを確認し、
上記要請サービスが発信／受信サービスである場合にはサービス制限モード状態を判断し、
上記サービス制限モードが非活性化状態である場合には上記要請される発信／受信を許容し、
上記サービス制限モードが活性化状態である場合には発信／受信許容電話番号リストに登録されている電話番号であるかを確認し、
上記発信／受信許容電話番号リストに登録されている電話番号であれば、要請される発信／受信を許容し、
上記発信／受信許容電話番号リストに登録されている電話番号でなければ、要請される発信／受信を制限し、且つそれに伴う案内メッセージを表示する
ことを特徴とする携帯端末機におけるサービス利用制限方法。
【請求項２５】
上記要請された所定のサービスが認知されると、上記要請サービスを確認し、
上記要請サービスがＳＭＳ／ＭＭＳ／Ｖｏｉｃｅサービスである場合、サービス制限モード状態を判断し、
上記サービス制限モードが非活性化状態である場合には、上記要請されるＳＭＳ／ＭＭＳ／Ｖｏｉｃｅサービス利用を許容し、
上記サービス制限モードが活性化状態である場合、上記ＳＭＳ／ＭＭＳ／Ｖｏｉｃｅサービスがサービス許容リストに登録されているサービスであるかを確認し、
上記ＳＭＳ／ＭＭＳ／Ｖｏｉｃｅサービスがサービス許容リストに登録されているサービスであれば、ＳＭＳ／ＭＭＳ／Ｖｏｉｃｅサービス利用を許容し、
上記ＳＭＳ／ＭＭＳ／Ｖｏｉｃｅサービスがサービス許容リストに登録されているサービスでなければ、要請されるＳＭＳ／ＭＭＳ／Ｖｏｉｃｅサービス利用を制限し、且つそれに伴う案内メッセージを表示する
ことを特徴とする携帯端末機におけるサービス利用制限方法。
【請求項２６】
上記要請された所定のサービスが認知されると、上記要請されるサービスを確認し、
上記要請されるサービスがデータ通信サービスである場合、サービス制限モード状態を判断し、
上記サービス制限モードが非活性化状態である場合には、上記要請されるデータ通信サービスを許容し、
上記サービス制限モードが活性化状態である場合には、上記データ通信サービスがサービス許容リストに登録されているサービスであるかを確認し、
上記データ通信サービスがサービス許容リストに登録されているサービスであれば、データ通信を許容し、
上記データ通信サービスがサービス許容リストに登録されているサービスでなければ、データ通信サービス利用を制限し、且つそれに伴う案内メッセージを表示する
ことを特徴とする携帯端末機におけるサービス利用制限方法。
【請求項２７】
携帯端末機におけるサービス利用を制限する方法において、
サービス制限機能設定モードへの進入が試行されると、パスワードの入力を要請し、
上記パスワードが入力されるとパスワードを認証し、
入力されたパスワードが有効であれば、サービス制限機能設定モードへの進入を許容し、
上記入力されたパスワードが無効であれば、サービス制限機能設定モードへの進入を制限し、且つそれに伴う案内メッセージを出力する
ことを特徴とする携帯端末機におけるサービス利用制限方法。
【請求項２８】
上記サービス制限機能設定モードは、少なくとも一人の管理者とその一人の管理者の少なくとも一つの電話番号とを登録することを許容する
ことを特徴とする請求項２７に記載の携帯端末機におけるサービス利用制限方法。
【請求項２９】
上記サービス制限機能設定モードへの進入が試行されると、関連した電話番号を使用する少なくとも一人の管理者にサービス制限機能設定モードへの進入の試行に関する情報を知らせるアラームメッセージを伝送する
ことを特徴とする請求項２８に記載の携帯端末機におけるサービス利用制限方法。
【請求項３０】
上記アラームメッセージは、サービス制限機能設定モードへの進入の試行に関する情報と、上記入力されるパスワードの認証情報とを含む
ことを特徴とする請求項２９に記載の携帯端末機におけるサービス利用制限方法。
【請求項３１】
上記パスワードは、個人識別番号（Ｐｅｒｓｏｎａｌ Ｉｄｅｎｔｉｆｉｃａｔｉｏｎ Ｎｕｍｂｅｒ）を含む
ことを特徴とする請求項２７に記載の携帯端末機におけるサービス利用制限方法。
【請求項３２】
上記入力パスワードの認証は、入力されるパスワードと事前に貯蔵されたパスワードとを比較することによって行われる
ことを特徴とする請求項２７に記載の携帯端末機におけるサービス利用制限方法。
【請求項３３】
上記サービス制限機能設定モードは、発信／受信サービス、ＳＭＳ／ＭＭＳ／Ｖｏｉｃｅサービス及びデータ通信サービスの設定の変更及び登録を許容する
ことを特徴とする請求項２７に記載の携帯端末機におけるサービス利用制限方法。
【請求項３４】
上記発信／受信サービスの設定は、発信／受信を許容する電話番号と、上記電話番号に指定されたショートカット番号との登録を許容する
ことを特徴とする請求項３３に記載の携帯端末機におけるサービス利用制限方法。
【請求項３５】
上記電話番号及びショートカット番号の登録は、電話番号が登録されていない空のショートカット番号を提供するか又はその入力を要請し、上記電話番号を上記空のショートカット番号にマッピングするか、又はショートカット番号の入力要請に対してショートカット番号を入力することによってマッピングする
ことを特徴とする請求項３４に記載の携帯端末機におけるサービス利用制限方法。
【請求項３６】
上記電話番号は、上記発信／受信の中の少なくとも一つに登録され得る
ことを特徴とする請求項３５に記載の携帯端末機におけるサービス利用制限方法。
【請求項３７】
上記ＳＭＳ／ＭＭＳ／Ｖｏｉｃｅサービス及びデータ通信サービスの設定は、利用許容サービスと／利用制限サービスとに分類し、利用許容サービスと利用制限サービスとしてサービスを選択的に登録することを許容する
ことを特徴とする請求項３３に記載の携帯端末機におけるサービス利用制限方法。
【請求項３８】
携帯端末機におけるサービス利用制限装置において、
設定サービス制限モードに従ってサービスの利用を制限するためのアプリケーションプログラムと該アプリケーションプログラムに関連したパラメータとを貯蔵するメモリと、
サービスが要請されると、サービス制限モードの状態を確認し、上記サービス制限モードの状態に基づいてサービス要請を進行するためのサービス制限部と、
サービス制限モードの状態を制御し、サービス制限モードの状態によって要請されたサービスの登録可否を決定し、上記サービス制限モードの状態に基づいて要請されたサービスの利用を許容或は制限する制御部と、
上記サービス制限機能に関連したイメージを表示し、上記サービス制限モードの進行状態を知らせる案内メッセージを表示する表示部とを含む
ことを特徴とする携帯端末機におけるサービス利用制限装置。
【請求項３９】
上記メモリは、
サービスを利用するための所定の要請が受信されると、サービス制限モード状態を確認するプログラムと、
上記サービス制限モードが活性化状態である場合、上記サービスがサービス許容リストに登録されているかを判断するプログラムと、
該当サービスがサービス許容リストに登録されていない場合に、サービス制限モードが活性化状態であることを知らせる案内メッセージを出力するプログラムと、
該当サービスがサービス制限モードに登録されている場合に、サービスを実行するプログラムと、
サービス制限モードの設定情報を抽出し、且つ上記サービス利用の許容又は制限を制御するプログラムとを貯蔵する
ことを特徴とする請求項３８に記載の携帯端末機におけるサービス利用制限装置。
【請求項４０】
上記メモリは、
発信／受信が認知されると、その電話番号が、発信／受信許容電話番号リストに登録されているかを判断するプログラムと、
該当電話番号が上記発信／受信許容電話番号リストに登録されている場合、発信／受信を許容するプログラムと、
該当電話番号が上記発信／受信許容電話番号リストに登録されていない場合、発信／受信を制限するプログラムと、
発信／受信が制限されたことを知らせる案内メッセージを出力するプログラムと、
サービス制限設定モードへの進入の試行を知らせる案内メッセージを事前に登録された管理者の電話番号へ伝送するプログラムとを貯蔵する
ことを特徴とする請求項３８に記載の携帯端末機におけるサービス利用制限装置。
【請求項４１】
上記サービス制限部は、
上記要請サービスがサービス許容リストに登録されているかを判断し、
サービス許容リストに登録されている場合にはサービス利用を許溶し、
登録されていない場合にはサービス利用を制限し、且つそれに伴う案内メッセージを出力する
ことを特徴とする請求項３８に記載の携帯端末機におけるサービス利用制限装置。
【請求項４２】
上記サービス制限部は、
発信又は受信が要請されると、該当電話番号が発信／受信許容電話番号リストに登録されているかを確認し、
発信／受信許容電話番号リストに登録されている場合には発信又は受信を許し、
発信／受信許容電話番号リストに登録されていない場合には発信又は受信を制限する
ことを特徴とする請求項３８に記載の携帯端末機におけるサービス利用制限装置。
【請求項４３】
上記サービス制限部は、上記サービス制限モードに関連した一連の設定及び変更を担当し、設定及び変更モードへの進入の試行を知らせるＳＭＳを事前に登録された管理者の電話番号へ伝送する
ことを特徴とする請求項３８に記載の携帯端末機におけるサービス利用制限装置。
【請求項４４】
上記制御部は、サービス制限モード設定が入力されれば、サービス制限モードの活性化／非活性化を制御し、各サービスの利用を許容又は制限し、且つ発信／受信電話番号を登録し、ユーザーのデータ又は付加機能に関連した案内メッセージを表示するように制御する
ことを特徴とする請求項３８に記載の携帯端末機におけるサービス利用制限装置。
【請求項４５】
上記制御部は、上記サービス制限モードが活性化状態であれば、上記入力情報を確認し、サービス利用が可能な情報であるかを判断し、その結果によって該当サービスの利用を許容又は制限し、上記サービス利用を制限する場合には、それに伴う案内メッセージを出力する
ことを特徴とする請求項３８に記載の携帯端末機におけるサービス利用制限装置。
【請求項４６】
上記制御部は、所定の電話番号が入力されれば、上記入力された電話番号に相応するショートカット番号を登録し、そのショートカット番号の貯蔵を制御する
ことを特徴とする請求項３８に記載の携帯端末機におけるサービス利用制限装置。
【請求項４７】
上記制御部は、サービス制限モードに関連した設定に対するアクセスの試行があれば、上記試行に対するパスワード入力の要請を制御し、入力されるパスワードを認証し、上記認証結果を少なくとも一つの電話番号に伝送する
ことを特徴とする請求項３８に記載の携帯端末機におけるサービス利用制限装置。
【請求項４８】
上記制御部は、
サービス利用が要請されると、上記要請サービスが上記サービス許容リストに登録されているサービスであるかを確認し、
サービス制限モードに登録されていないサービスであれば、該当サービス利用を制限し、
サービス制限モードに登録されているサービスであれば、該当サービス利用を許容する
ことを特徴とする請求項３８に記載の携帯端末機におけるサービス利用制限装置。
【請求項４９】
上記制御部は、
発信又は受信が要請されると、上記発信又は受信される電話番号が発信／受信許容電話番号リストに登録されている電話番号であるかを判断し、
登録されている電話番号であれば、発信又は受信を許容し、
登録されている電話番号でなければ、発信又は受信を制限する
ことを特徴とする請求項３８に記載の携帯端末機おけるサービス利用制限装置。
【請求項５０】
上記制御部は、
ショートカット番号に発信許容の電話番号を登録し、ショートカット番号の入力を通じて発信が要請されると、
上記ショートカット番号に相応する発信番号が発信許容電話番号リストに登録されている電話番号であるかを判断し、
登録されている電話番号であれば、発信又は受信を許容し、
登録されている電話番号でなければ、発信又は受信を制限する
ことを特徴とする請求項３８に記載の携帯端末機おけるサービス利用制限装置。
【発明の詳細な説明】
【技術分野】
【０００１】
本発明は、携帯端末機（ＰｏｒｔａｂｌｅＴｅｒｍｉｎａｌ）における付加サービス提供装置及び方法に関し、特に、携帯端末機における課金の発生する付加サービス利用を制限できる装置及び方法に関する。
【背景技術】
【０００２】
最近、無線通信技術が発展するにつれて携帯端末機の普及が幾何級数的に増加しており、通信事業者は、加入者の多様な欲求を充足させるための多様なサービスを提供している。即ち、現在、移動通信サービス業者は、空間及び時間に拘ることのない通信とともに、無線インターネット、ショートメッセージサービス（ＳＭＳ、Ｓｈｏｒｔ Ｍｅｓｓａｇｅ Ｓｅｒｖｉｃｅ）、マルチメディアメッセージサービス（ＭＭＳ、Ｍｕｌｔｉｍｅｄｉａ Ｍｅｓｓａｇｉｎｇ Ｓｅｒｖｉｃｅ）及び音声メッセージサービス（ＶＭＳ）のようなマルチメディアサービスなどの多様なサービスを携帯端末機を通じて提供している。
【０００３】
近年、携帯端末機は、一般電話加入者又は他の移動通信加入者と通信を行う基本的な機能の他にも、個人情報管理、コンピュータとのデータ通信を行う等の付加的機能を有する。
【０００４】
上記携帯端末機に画像や動映像の送受信、仮想３次元音響及びステレオサウンド具現、ＭＰ３プレーヤー機能及び写真撮影が可能なカメラ機能などのように、その性能が向上した携帯端末機が登場している。
【０００５】
また、機能によってインターネット機能を有する端末装置、文字伝送のための端末装置、動映像機能を有する端末装置、ユーザーの健康をチェックできる端末装置及びゲーム機能を有する端末装置などに分けられる。
【０００６】
また、デジタルＴＶや注文型映像ビデオサービス（ＶＯＤ：ＶｉｄｅｏＯｎＤｅｍａｎｄ）等のようなデジタルマルチメディアサービスが提供されている（例えば、韓国特開１０−２００１−０１０３１７３号公報参照）。
【０００７】
また、単純なテキストのみを利用したゲームのみでなく、３Ｄまで具現するゲーム機能が提供されると共に、メッセンジャー機能まで提供されているものもある（例えば、韓国特開１０−２００３−００９５５８１号公報参照）。
【０００８】
上記のような携帯端末機を通じて提供されるサービスは、サービスを利用する毎に料金を支払うものの、従来技術に係る携帯端末機においては、課金サービスの利用を制限するための効果的な方法が提供されていない。
【０００９】
携帯端末機は、発信制限機能を提供する。発信の遮断は、発信の形態によって実行される。
【００１０】
図１は、従来技術の移動通信網を示す。該移動通信網は、携帯端末機１１０、ＢＳ１３０、ＭＳＣ１５０、ＶＬＲ１７０、及びＨＬＲ１９０を含む。
【００１１】
ＭＳＣ１５０は、現在、ＭＳＣ１５０の区域内にある全ての携帯端末機の情報を貯蔵するＶＲＲ１７０とＨＬＲ１９０と結合する。また、ＶＬＲ１７０とＨＬＲ１９０とは、携帯端末機１１０によって遮断される発信／受信の形態の情報を貯蔵する。
【００１２】
携帯端末機１１０からＢＳ１３０を介して電話番号がＭＳＣ１５０に伝送されると、ＭＳＣ１５０は、上記電話番号が遮断されるように登録されたのかをＶＬＲ１７０とＨＬＲ１９０の内で確認する。
【００１３】
上記電話番号が遮断されるように登録されていると、ＭＳＣ１５０は発信を遮断し、上記携帯端末機が、要請された電話番号が遮断されるように設定された発信を要請したことを知らせる。すなわち、ＭＳＣ１５０は、発信／受信設定手順を実行する。
【００１４】
しかし、従来技術の発信遮断方法は、加入者によって、または電話番号の形態によって遮断するように制限されている。
【００１５】
図２は、従来技術に係る携帯端末機における発信遮断方法を示す。発信用電話番号が入力されると（Ｓ２０１）、上記携帯端末機は、発信制限機能が活性化されているかを確認する（Ｓ２０３）。発信制限機能が非活性化していると、携帯端末機は、入力された電話番号を有する対象電話に受信を設定するための発信要請を伝送する（Ｓ２０９）。発信制限機能が活性化していると、携帯端末機は、パスワードの入力を要請する（Ｓ２０５）。パスワードが入力されると、携帯端末機は、上記パスワードが認証されたのかを確認する（Ｓ２０７）。パスワードが認証されると、携帯端末機は、対象電話に受信設定のための発信要請を伝送する（Ｓ２０９）。パスワードが認証されないと、携帯端末機は、予め決定されている回数だけ、認証手続きを反復し、所定回数の認証手続きが失敗すると、その場合には先決の手続きを実行する（Ｓ２１３）。例えば、先決の回数だけのパスワード認証が失敗すると、携帯端末機は発信要請手続きを終了する。しかし、パスワード認証が成功すると、携帯端末機は、発信要請手続きを続ける。
【００１６】
上記のように、従来の発信遮断方法は、特定の電話番号や全ての発信の遮断を制限する方法である。
【００１７】
しかし、上記従来の発信遮断方法は、発信許容に設定されている特定の電話番号を選択的にスクリーニングする機能を提供することができない。
【００１８】
また、上記従来の発信遮断方法は、発信のみに対して採用されており、受信や他の付加的サービスを遮断することができない。
【特許文献１】韓国特開１０−２００１−０１０３１７３号公報
【特許文献２】韓国特開１０−２００３−００９５５８１号公報
【発明の開示】
【発明が解決しようとする課題】
【００１９】
よって、本発明は、上述した従来技術の問題を解決するために考案されたもので、本発明の目的は、携帯端末機の使用を効率的に制御できるサービス利用制限装置及び方法を提供することである。
【００２０】
本発明の他の目的は、携帯端末機におけるサービス利用を効率的に管理できるサービス利用制限装置及び方法を提供することである。
【００２１】
本発明のまた他の目的は、携帯端末機における過度なサービスの使用を防止できるサービス利用制限装置及び方法を提供することである。
【００２２】
本発明のまた他の目的は、携帯端末機において、発信／受信、ＳＭＳ、ＭＭＳ、ＶＭＳ、及びデータ通信のようなサービス利用を効率的に制限できるサービス利用制限装置及び方法を提供することである。
【００２３】
本発明のまた他の目的は、携帯端末機において、発信／受信を効率的に選別するサービス利用制限装置及び方法を提供することである。
【００２４】
本発明のまたさらに他の目的は、携帯端末機において、ショートカット番号を参照して発信／受信を効率的に制限し、上記サービス別利用制限が可能とされるようにするサービス利用制限装置及び方法を提供することである。
【課題を解決するための手段】
【００２５】
上記のような目的を達成するための本発明に係る方法は、携帯端末機におけるサービス利用制限方法において、所定の発信又は受信が要請されると、サービス制限モード状態を確認し、上記サービス制限モードが活性化状態であれば、所定の発信又は受信電話番号が事前に通信許容電話番号リストに登録されている電話番号であるかを判断し、上記発信又は受信電話番号が通信許容電話番号リストに登録されている電話番号であれば、発信又は受信を許容し、上記発信又は受信電話番号が通信許容電話番号リストに登録されている電話番号でなければ、発信又は受信を制限する。
【００２６】
上記のような目的を達成するための本発明に係る方法は、携帯端末機における発信制限方法において、発信が要請されると、サービス制限モード状態を確認し、上記サービス制限モードが活性化状態であれば、上記入力される発信電話番号が事前に発信許容電話番号リストに登録されている電話番号であるかを判断し、上記発信電話番号が登録されている電話番号であれば、発信を許容して進行し、上記発信電話番号が登録されている電話番号でなければ、発信を制限することを知らせる案内メッセージを表示する。
【００２７】
上記のような目的を達成するための本発明に係る方法は、携帯端末機における発信制限方法において、所定のショートカットキー入力を通じて発信が要請されると、サービス制限モード状態を確認し、上記サービス制限モードが活性化状態であれば、上記入力されるショートカットキーに相応する発信電話番号が存在するのかを確認し、上記ショートカットキーに相応する発信電話番号が存在すれば、上記発信電話番号が発信許容電話番号リストに登録されている電話番号であるかを判断し、上記発信電話番号が発信許容電話番号リストに登録されている場合、上記発信電話番号に相応するショートカットキー入力による発信を進行し、上記発信電話番号が発信許容電話番号リストに登録されていない場合、上記発信電話番号に相応するショートカットキー入力による発信を制限する。
【００２８】
上記のような目的を達成するための本発明に係る方法は、携帯端末機における受信制限方法において、受信が認知されるとサービス制限モード状態を確認し、上記サービス制限モードが活性化状態であれば、上記受信認知による受信電話番号が受信許容電話番号リストに登録されている番号であるかを判断し、上記受信電話番号が受信許容電話番号リストに登録されている電話番号であれば、上記受信を進行し、上記受信電話番号が受信許容電話番号リストに登録されている電話番号でなければ、上記受信を制限する。
【００２９】
上記のような目的を達成するための本発明に係る方法は、携帯端末機におけるサービス利用制限方法において、所定のサービスが要請されると、サービス制限モード状態を確認し、上記サービス制限モードが活性化状態であれば、上記要請されるサービスがサービス許容リストに登録されているサービスであるかを判断し、上記要請サービスがサービス許容リストに登録されていないサービスであれば、該当サービス利用を制限し、上記要請サービスがサービス許容リストに登録されているサービスであれば、上記要請される該当サービスを実行する。
【００３０】
上記のような目的を達成するための本発明に係る方法は、上記要請された所定のサービスが認知されると、上記要請サービスを確認し、上記要請サービスが発信／受信サービスである場合にはサービス制限モード状態を判断し、上記サービス制限モードが非活性化状態である場合には上記要請される発信／受信を許容し、上記サービス制限モードが活性化状態である場合には発信／受信許容電話番号リストに登録されている電話番号であるかを確認し、上記発信／受信許容電話番号リストに登録されている電話番号であれば、要請される発信／受信を許容し、上記発信／受信許容電話番号リストに登録されている電話番号でなければ、要請される発信／受信を制限し、且つそれに伴う案内メッセージを表示する。
【００３１】
上記のような目的を達成するための本発明に係る方法は、上記要請された所定のサービスが認知されると、上記要請サービスを確認し、上記要請サービスがＳＭＳ／ＭＭＳ／Ｖｏｉｃｅサービスである場合、サービス制限モード状態を判断し、上記サービス制限モードが非活性化状態である場合には、上記要請されるＳＭＳ／ＭＭＳ／Ｖｏｉｃｅサービス利用を許容し、上記サービス制限モードが活性化状態である場合、上記ＳＭＳ／ＭＭＳ／Ｖｏｉｃｅサービスがサービス許容リストに登録されているサービスであるかを確認し、上記ＳＭＳ／ＭＭＳ／Ｖｏｉｃｅサービスがサービス許容リストに登録されているサービスであれば、ＳＭＳ／ＭＭＳ／Ｖｏｉｃｅサービス利用を許容し、上記ＳＭＳ／ＭＭＳ／Ｖｏｉｃｅサービスがサービス許容リストに登録されているサービスでなければ、要請されるＳＭＳ／ＭＭＳ／Ｖｏｉｃｅサービス利用を制限し、且つそれに伴う案内メッセージを表示する。
【００３２】
上記のような目的を達成するための本発明に係る方法は、上記要請された所定のサービスが認知されると、上記要請されるサービスを確認し、上記要請されるサービスがデータ通信サービスである場合、サービス制限モード状態を判断し、上記サービス制限モードが非活性化状態である場合には、上記要請されるデータ通信サービスを許容し、上記サービス制限モードが活性化状態である場合には、上記データ通信サービスがサービス許容リストに登録されているサービスであるかを確認し、上記データ通信サービスがサービス許容リストに登録されているサービスであれば、データ通信を許容し、上記データ通信サービスがサービス許容リストに登録されているサービスでなければ、データ通信サービス利用を制限し、且つそれに伴う案内メッセージを表示する。
【００３３】
上記のような目的を達成するための本発明に係る方法は、携帯端末機におけるサービス利用を制限する方法において、サービス制限機能設定モードへの進入が試行されると、パスワードの入力を要請し、上記パスワードが入力されるとパスワードを認証し、入力されたパスワードが有効であれば、サービス制限機能設定モードへの進入を許容し、上記入力されたパスワードが無効であれば、サービス制限機能設定モードへの進入を制限し、且つそれに伴う案内メッセージを出力する。
【００３４】
上記のような目的を達成するための本発明に係る装置は、携帯端末機におけるサービス利用制限装置において、設定サービス制限モードに従ってサービスの利用を制限するためのアプリケーションプログラムと該アプリケーションプログラムに関連したパラメータとを貯蔵するメモリと、サービスが要請されると、サービス制限モードの状態を確認し、上記サービス制限モードの状態に基づいてサービス要請を進行するためのサービス制限部と、サービス制限モードの状態を制御し、サービス制限モードの状態によって要請されたサービスの登録可否を決定し、上記サービス制限モードの状態に基づいて要請されたサービスの利用を許容或は制限する制御部と、上記サービス制限機能に関連したイメージを表示し、上記サービス制限モードの進行状態を知らせる案内メッセージを表示する表示部とを含む。
【発明の効果】
【００３５】
上述した通り、本発明で提案する本発明の携帯端末機におけるサービス制限装置及び方法によれば、携帯端末機のユーザーが発信／受信、ＳＭＳ／ＭＭＳ／Ｖｏｉｃｅ及びデータ通信のように課金が発生するサービス利用を選択的に制限できる利点を有する。
【００３６】
また、本発明によれば、携帯端末機を利用するにあたって、管理者が登録する許容電話番号にのみ発信／受信が可能なようにし、また、管理者が許容する付加サービスのみを利用可能にすることによって、ユーザーの携帯端末機使用を制限することができる。
【００３７】
従って、携帯端末機ユーザーのサービス利用による通信料を減少させることができ、また、不必要な電話使用、又はデータ通信による無節制な携帯端末機の使用を制限できる利点を有する。
【００３８】
また、本発明によれば、不法使用、或は未成年者観覧不可コンテンツへのアクセスを未然に防止できる利点を有する。
【００３９】
また、電話使用権を父母、或はその他の電話料金納付者のような第３者により管理することができる。
【発明を実施するための最良の形態】
【００４０】
以下、本発明に係る望ましい実施例を添付の図面を参照しながら詳細に説明する。下記の説明は、本発明に係る動作を理解するのに必要な部分のみ説明し、それ以外の部分の説明は、本発明の要旨から離れない範囲内において省略されることを理解するべきである。
【００４１】
また、本発明において説明される明細書及び特許請求の範囲に使われた用語や単語は、通常的な意味や辞書的な意味に制限されず、本発明の技術的思想や概念に沿って解釈されなければならない。
【００４２】
本発明に係る以下の説明は、サービス利用を制限する機能を有する携帯端末機に関する。本発明において、サービスの利用は発信／受信要請、ＳＭＳ，ＭＭＳ，ＶＭＳ，及び他のデータ通信サービスのようなサービスをサービス制限モードに設定することにより制限できる。
【００４３】
例えば、上記携帯端末機は、ショートカットキーに登録された電話番号の発信／受信を許容し、一方、登録されていない電話番号の発信／受信は制限される。
【００４４】
上記サービス利用制限モードは、サービスにより設定され得る詳しい制限状況に設定できる。また、上記サービス利用制限モードは、番号に相応する発信と受信をより分けるように設定されることができる。
【００４５】
本発明に係る携帯端末機は、発信と受信サービス及びデータ通信サービスの乱用を予防することができる。
【００４６】
所定のサービス利用制限モードが設定されてショートカットキーが入力されると、携帯端末機は、電話番号がショートカットキーに登録されている場合にのみ発信を実行する。ショートカットキーに登録された電話番号が入力された時にも、ユーザーによって予め設定された状態によって発信は制限されることもできる。
【００４７】
好ましくは、サービス利用制限モードは、ユーザー、または個人識別番号（ＰＩＮ）で認証された管理者によって設定されることができる。
【００４８】
所定のサービス利用制限機能を有する携帯端末機は、一つの例として説明されるものの、本発明に係る技術は、ＰＤＡ、高度自動機能電話（ｓｍａｒｔ ｐｈｏｎｅ）、ＭＰ３プレーヤー、ノートブックコンピューター、パソコン、デジタルカメラ、携帯電話、ＰＣＳ、ＤＭＢ受信機、ＩＭＴ２０００端末、及びＵＭＴＳ端末などのような装置に適用することができる。
【００４９】
図３は、本発明に係るサービス利用制御機能を有する携帯端末機を示す図面である。
【００５０】
上記図３を参照すると、本発明に係る携帯端末機は、入力手段、処理手段、貯蔵手段、出力手段、及び通信手段を含む。
【００５１】
上記入力手段は、音声データ、数字／文字データ、及び映像データなどの多様なデータを獲得する機能を担当する。上記入力手段は、オーディオ処理部３０７、キー入力部３０９、及びカメラ部３１３を含むことができる。また、表示部３１７が液晶表示装置（ＬＣＤ）、タッチスクリーン形態で形成される場合、上記表示部３１７は、上記入力手段に含まれる。
【００５２】
上記処理手段は、カメラ部３１３によって撮影された写真のアナログ信号をデジタル信号に変換するビデオ処理部３１５、サービスの利用を制御するサービス制限部３１９、オーディオ処理部３０７から出力されるオーディオ信号とキー入力部３０９を通じて生成されるキー入力信号とを処理するデータ処理部３０５、及び携帯端末の全ての動作を制御する制御部３０１を含む。
【００５３】
上記貯蔵手段は、テキストドキュメント、カメラ部３１３から撮られた写真などのようなユーザーデータと、サービス制限のための携帯端末の動作を制御するアプリケーションプログラムを貯蔵する。また、上記貯蔵手段は、メモリ３１１を含む。
【００５４】
上記出力手段は、ユーザー入力情報とサービス制限のためのアプリケーションプログラムによって生成されるアプリケーションデータを表示する表示部３１７と、オーディオデータとサービス制限方法に関連する案内メッセージを出力するオーディオ処理部３０７とを含む。
【００５５】
上記通信手段は、少なくとも一つのアンテナを介してウェブサーバーと通信する無線周波数（ＲＦ）部３０３を含む。上記ＲＦ部３０３は、携帯電話や他の無線通信機のような通信サービスの多様な形態を支援することができる。
【００５６】
また、上記ＲＦ部３０３は、音声／音響データ及び制御データなどを無線信号に変換して送信し、無線信号を受信して音声／音響データ及び制御データなどに変換して出力する。上記ＲＦ部３０３は、好ましくは送信される信号の周波数を上昇変換及び増幅するＲＦ送信部と、受信される信号を低雑音増幅して周波数を下降変換するＲＦ受信部などを含む。
【００５７】
上記データ処理部３０５は、さらに、メモリ部３１１に貯蔵された指示によって携帯端末機の動作を制御する制御部３０１と結合される。データ処理部３０５は、全てのオーディオ信号とＲＦ送信機やブルートゥス送信機を用いてデータを送・受信するために必要とされるデータ処理を操作する。
【００５８】
上記データ処理部３０５は、また、ＲＦ部３０３を通じて送信される信号を符号化及び変調する手段と、ＲＦ部３０３を通じて受信される信号を復調及び復号する手段とを含む。さらに、上記データ処理部は、ビデオ及びオーディオデータの符号化及び復号化を支援するＣＯＤＥＣパックが提供される。
【００５９】
上記キー入力部３０９は、ユーザーが英数字を入力できるようにする多数の英数字キーと、ユーザーが機能に相応する動作を遂行するために入力できるようにする多様な機能キーとを含む。
【００６０】
上記メモリ３１１は、プログラムメモリとデータメモリとを含む。上記プログラムメモリには携帯端末機の一般的な操作を制御するためのプログラム、及び携帯端末機のサービス利用制限機能を制御するためのプログラムなどを保存することができる。
【００６１】
また、上記データメモリには上記プログラムの動作中に発生されるデータと、それぞれのデータをテーブル形態に保存するデータベースを含むことができる。
【００６２】
上記カメラ部３１３は、写真を撮影し、符号器（図示せず）との相互作用によって写真のアナログ信号をビデオ信号に転換する。上記ビデオ処理部３１５は、カメラからの信号をイメージ信号に変換して、上記イメージ信号は上記表示部３１７によって適切に処理される。上記カメラ部３１３は、レンズのイメージを感知し、光イメージ信号を電子信号に転換するカメラセンサーと、カメラセンサーから出力されるアナログ信号をデジタル信号に転換する信号処理部を含む。ここで、上記カメラセンサは、ＣＭＯＳ、又はＣＣＤセンサを含み、上記信号処理部は、ＤＳＰを含むことができる。また、上記カメラセンサ及び信号処理部は、一体型として具現するか、または、分離して具現することができる。
【００６３】
上記ビデオ処理部３１５は、上記アプリケーションデータを処理し、表示部３１７に適合するメニュースクリーンイメージを処理して、制御部３０１の制御下で処理イメージを表示部３１７に伝送する。上記アプリケーションデータイメージは、上記サービス制限機能に関連するデータとサービス制限機能の設定を知らせるメッセージを含む。
【００６４】
上記ビデオ処理部３１５は、ビデオデータの圧縮／伸張のための機能、及び少なくとも一つの符号器の機能が提供される。上記ビデオ符号器は、ＪＰＥＧ符号器、ＭＰＥＧ４符合器、ウェーブレット符号器などを含む。
【００６５】
上記表示部３１７は、上記映像処理部３１５から出力される映像データ、及びサービス制限アプリケーションから発生されるアプリケーションデータを表示する。また、上記表示部３１７は、ユーザの操作によるサービス制限アプリケーションを操作するためのメニュー画面を表示することができる。
【００６６】
上記サービス制限部３１９は、課金が発生する電話発信／受信、ＳＭＳ／ＭＭＳ通信及びデータ通信、及び付加サービスの利用を、サービス制限機能の活性化の際に許容／制限する機能を担当する。上記サービス制限部３１９は、要請される利用リストに登録されていない付加サービスが要請されると、上記付加サービスの利用を遮断し、ユーザに現在要請のサービスは、使用が制限されていることを知らせる所定の案内メッセージを出力する。
【００６７】
また、上記サービス制限部３１９は、ユーザーが発信のために入力する電話番号又はショートカット番号が、発信許容リストに登録されている電話番号であれば発信を許容し、発信許容リストに登録されている電話番号でなければ発信制限及びそれに対応する案内メッセージ出力する。
【００６８】
また、外部から受信される電話番号が受信許容リストに登録されている電話番号であれば受信を許容し、受信許容リストに登録されている電話番号でなければ受信を制限し、それに対応する案内メッセージ出力を処理する。好ましくは、上記案内メッセージは、上記外部発信者に提供することができる。
【００６９】
また、上記サービス制限部３１９は、サービス制限モード設定に対するアクセス、及び／又は設定の変更のためのパスワード入力の際、サービス制限部３１９がその成功及び失敗に対する結果情報を、ＳＭＳなどを利用して、管理者により事前に登録された管理者電話番号に伝送するようにする管理機能を有する。
【００７０】
また、上記サービス制限部３１９は、サービス制限機能設定のための処理を担当する。例えば、上記サービス制限部３１９は、ユーザが、サービス制限機能の活性化／非活性化設定、パスワード設定、サービス制限機能による付加サービスの許容登録、ＳＭＳで認証結果を伝送するための電話番号の登録、発信／受信許容電話番号に対応するショートカット番号設定などのような、多様な設定をできるようする。
【００７１】
一方、上記サービス制限部３１９を別個の構成として示したが、好ましくは、上記制御部３０１に統合されることができる。
【００７２】
上記制御部３０１は、上記携帯端末機の全般的な動作及び内部における信号フローを制御する機能を果たす。例えば、上記制御部３０１は、上記データ処理部３０５、キー入力部３０９、メモリ部３１１、カメラ部３１３、映像処理部３１５、及びサービス制限部３１９などの各構成間の信号フローを制御する。また、上記制御部３０１は上記データ処理部３０５を含むことができる。
【００７３】
特に、上記制御部３０１は、サービス制限モード設定によってサービスの利用を許容／制限する一連の動作を制御する。
【００７４】
また、上記制御部３０１は、キー入力部３０９から入力される信号によってサービス制限設定／変更を制御する。すなわち、サービス制限機能活性化／非活性化、サービス許容選択／非許容選択、及び発信／受信許容電話番号登録などのモード設定を制御する。また、上記制御部３０１は、上記サービス制限機能の操作中に生成されるデータ、及びサービス制限機能の実行中に生成される案内メッセージを表示するように制御する。
【００７５】
ここでは、案内メッセージの簡略化のために、案内メッセージは、表示部３１９を介するテキストの形態で出力される。しかし、上記の案内メッセージは、テキストメッセージに限定されるものではなく、動画、静止画、アイコンなどの形態に出力することができる。さらに、オーディオサウンド、アラームサウンド、メロディー、及びオーディオ処理部３０７に統合された音声案内とともに表示される。
【００７６】
上記制御部３０１は、所定の情報が伝送されると、サービス制限モードの活性化／非活性化状態を確認し、上記サービス制限モード状態によって発信／受信による通信連結を選択的に実行すると共に、上記サービス制限モードが設定されていることを知らせる案内メッセージなどを表示するように制御する。
【００７７】
具体的に、上記サービス制限モードが活性化状態であれば、上記制御部３０１はユーザーから伝送される情報を確認してサービス利用が可能な情報であるかを判断し、その結果によってサービス利用を許容するか又はサービス利用を制限し、且つそれに伴う案内メッセージを提供するように制御する。
【００７８】
また、上記サービス制限モードが非活性化状態であれば、上記制御部３０１はユーザーから伝送される情報に相応する動作、例えば、発信／受信、ＳＭＳ／ＭＭＳ通信、及びデータ通信などを実行するように制御する。
【００７９】
ここで、上記ユーザーから伝送される情報とは、ユーザーから上記キー入力部３０９を通じて入力される発信電話番号、ＳＭＳ／ＭＭＳ送信及びデータ通信要請などの情報、外部の他のユーザーから伝送される受信要請情報、ＳＭＳ／ＭＭＳ受信及びデータ通信要請などの情報を含む。
【００８０】
また、上記制御部３０１は、本発明に係るサービス制限モード機能を実行するための、サービス制限モードに対する全般的な設定、情報変更、活性化／非活性化モード設定及びサービス制限モードによる許容電話番号／サービス登録などの管理者モードによる一連の処理を制御する。
【００８１】
また、上記制御部３０１は、サービス制限モードに関連した設定変更などのためのアクセスが要請されると、上記アクセスに対するパスワード入力を要請し、入力されるパスワードに対する認証手順を制御し、上記認証手順による認証成功成否に対する結果情報を事前に登録されている少なくとも一つ以上の管理者電話番号に伝送するようにする一連の処理を制御する。以下からは、上記のような構成を有する携帯端末機を例として本発明に係るサービス制限モードによって選択的にサービス利用を制限する具体的な方法に対して添付の図面を参照して調べる。
【００８２】
図４は、本発明に係る携帯端末機におけるサービス利用制限方法を示す図面である。
【００８３】
上記図４を参照すると、まず、移動端末機は、携帯端末機ユーザーから発信が要請されるか、又は外部の他の携帯端末機ユーザーから受信が要請されると、サービス制限モード状態が活性化であるか又は非活性化状態であるかを確認する（Ｓ４０３）。
【００８４】
上記確認の結果、サービス制限モードが非活性化状態であれば、上記携帯端末機は上記発信又は受信情報によって通信を連結する（Ｓ４１１）。
【００８５】
上記確認の結果、サービス制限モードが活性化状態であれば、上記携帯端末機は上記発信又は受信要請される電話番号を抽出する（Ｓ４０５）。それから、上記携帯端末機は抽出された上記発信又は受信要請電話番号が、事前にサービス制限モードによって発信／受信が可能なように登録されている電話番号であるかを判断する（Ｓ４０７）。上記発信又は受信要請電話番号が登録されている電話番号であれば、上記要請による発信又は受信を許可した後（Ｓ４０９）上記のように通信連結を行う。上記発信又は受信要請電話番号が登録されている電話番号でなければ、サービス制限モードが設定されていることを知らせる所定案内メッセージを提供した後（Ｓ４１３）、発信又は受信を制限する（Ｓ４１５）。
【００８６】
ここで、好ましくは、上記案内メッセージ提供は、発信の際、上記携帯端末機のユーザーに上記サービス制限モードが設定されていることを示した所定の案内メッセージを、例えば、ユーザーが気づくようにポップアップ形態で表示する。
【００８７】
また、好ましくは、受信の際、外部の他の携帯端末機のユーザーに対して、上記携帯端末機がサービス制限モードに設定されているので電話連結が出来ないことを知らせる案内メッセージを伝送することができる。
【００８８】
図５は、本発明に係る携帯端末機における発信制限手順を示す図面である。上記図５を参照すると、まず、携帯端末機は、ユーザーから発信が要請されると（Ｓ５０１）、所定の発信のための電話番号又は発信のための電話番号に相応するようにマッピングされた該当ショートカット番号が所定時間以上入力されれば、サービス制限モード状態が活性化又は非活性化状態であるかを確認する（Ｓ５０３）。
【００８９】
上記サービス制限モードが非活性化状態であれば、上記携帯端末機は、上記発信情報、すなわち、発信電話番号によって通信を連結する（Ｓ５０７）。
【００９０】
上記サービス制限モードが活性化状態であれば、上記携帯端末機は、ユーザーが入力する発信電話番号又はユーザーが入力するショートカット番号に相応する電話番号を抽出し、上記発信電話番号が事前にサービス制限モードに登録されている発信許容電話番号であるかを判断する(Ｓ５０５)。
【００９１】
上記発信電話番号が登録されている電話番号であれば、上記ユーザーの発信を許容し通信を連結する（Ｓ５０７）。
【００９２】
上記発信電話番号が登録されている電話番号でなければ、サービス制限モードが活性化されて発信を許容することができないことを知らせる所定案内メッセージを表示する（Ｓ５０９）。例えば、表示部を通じて‘サービス制限モードが活性化状態です。ご使用になることはできません。’、あるいは‘指定された番号がありません。登録の後使用してください。’などのような形態の案内メッセージを表示する。
【００９３】
上記案内メッセージ表示後、上記携帯端末機は、上記ユーザーの発信要請に対して制限を行う。
【００９４】
例えば、発信のための電話番号は、管理者が事前に電話帳などに保存された電話番号を利用するか、又は発信／受信が可能な電話番号を直接入力し、上記電話番号をキーボードを通じてショートカットキー（key）、例えば、数字ボタン１乃至９、＃、及び＊、又はこれらの組み合わせによるショートカット番号に割り当てられることができる。以後、サービス制限モードが活性化された場合に、ユーザーは、発信可能電話番号の入力をキーボードのショートカットキー、例えば数字ボタン１乃至９、＃、及び＊、又はこれらの組み合わせによるショートカット番号を入力することによって、通信連結を行うように設定することができる。
【００９５】
このような場合には、上記ショートカット番号でない一般発信電話番号入力又は発信電話番号が登録されていないショートカット番号入力時には、サービス制限モードを適用して所定案内メッセージを表示することが望ましい。
【００９６】
例えば、ユーザーがショートカットキー入力の際、上記携帯端末機は、上記ショートカット番号にマッピングされる該当電話番号がサービス制限モードによる電話番号に登録されているのかを判断し、上記ショートカット番号にマッピングされた該当電話番号が登録されている電話番号、すなわち、発信／受信許容可能な電話番号である場合には通信連結を行う。また、上記ショートカット番号にマッピングされた該当電話番号が、サービス制限モードによる電話番号に登録されていない電話番号、すなわち、発信／受信が許容されない電話番号である場合には、サービス制限モード活性化状態であるから通信連結を出来ないことを案内する案内メッセージを表示するようにすることが望ましい。
【００９７】
図６は、本発明に係るサービス制限方法における発信操作手順を説明するための画面例を示す図面である。
【００９８】
特に、上記図６では、本発明に係る携帯端末機におけるサービス制限モード活性化状態によって発信を許容し、通信連結を行う画面構成の例を示す。
【００９９】
上記図６を参照すると、参照符号６１０は、携帯端末機の待機状態の画面例を示したものであって、参照符号６２１乃至参照符号６２３及び参照符号６３１乃至参照符号６３５は、ユーザーが発信するために電話番号がマッピングされたショートカットキー、例えば、数字ボタン１乃至９、又はこれらの組み合わせによるショートカット番号入力に相応する画面例を示したものであって、参照符号６２５及び参照符号６３７は、上記入力ショートカット番号により通信連結を行う画面例を示したものである。
【０１００】
具体的に、ユーザーは、目的とする携帯端末機への発信のために該当電話番号がマッピングされたショートカット番号を入力する。入力数字が１桁の数でマッピングされたショートカット番号が入力される場合を調べると、参照符号６２１のように、ユーザーが数字ボタン‘２’を所定時間以上入力すれば、携帯端末機はショートカット番号‘２’にマッピングされた該当電話番号を抽出する。
【０１０１】
この際、上記携帯端末機は、上記ショートカット番号‘２’にマッピングされた電話番号が存在すれば、参照符号６２３に示したように、上記ショートカット番号‘２’に該当するユーザー情報、例えば、名前及び電話番号などを画面に表示し、一定時間の経過後、参照符号６２５に示したように、上記電話番号を利用した通信連結を行う。
【０１０２】
好ましくは、上記携帯端末機は、上記抽出する電話番号が存在すれば、上記電話番号がサービス制限モードに登録されている電話番号、すなわち、発信が許容された電話番号であるかを判断し、その結果によって、上記のように通信連結を行ったり、発信を制限するようにする。
【０１０３】
他の例として、入力数字が２桁の数でマッピングされたショートカット番号が入力される場合を調べると、参照符号６３１及び参照符号６３３のように、ユーザーが数字ボタン‘１’を入力し、続いて数字ボタン‘２’を所定時間以上入力すれば、携帯端末機はショートカット番号‘１２’にマッピングされた該当電話番号を抽出する。
【０１０４】
この際、上記携帯端末機は、上記ショートカット番号‘１２’にマッピングされた電話番号が存在すれば、参照符号６３５に示したように、上記ショートカット番号‘１２’に該当するユーザー情報、例えば、名前及び電話番号などを画面に表示し、一定時間の経過後、参照符号６３７に示したように、上記電話番号を利用した通信連結を行う。
【０１０５】
好ましくは、上記携帯端末機は、上記抽出された電話番号が存在すれば、上記電話番号がサービス制限モードに登録されている電話番号、すなわち、発信が許容された電話番号であるかを判断し、その結果によって上記のように、通信連結を行ったり、発信を制限するようにする。
【０１０６】
図７ａ乃至図７ｄは、本発明に係る携帯端末機における発信手順を説明するための画面構成の他の例を示す図面である。
【０１０７】
特に、上記図７ａ乃至図７ｄでは、本発明に係る携帯端末機におけるサービス制限モード活性化状態によって発信を制限する画面構成の例を挙げる。
【０１０８】
まず、上記図７ａを参照すると、参照符号７１０は、携帯端末機の待機状態の画面例を示したものであって、参照符号７１１、参照符号７１７乃至参照符号７１９及び参照符号７２５乃至参照符号７２７は、ユーザーが発信するために目的とする携帯端末機の電話番号がマッピングされたショートカットキー、例えば、数字ボタン１乃至９、又はこれらの組み合わせによるショートカット番号入力に相応する画面例を示したものであって、参照符号７１３、参照符号７２１及び参照符号７２９は、上記入力ショートカット番号による通信連結を制限する画面例を示したものであって、参照符号７１５、参照符号７２３、及び参照符号７３１はサービス制限モードによって発信が制限された以後に表示される画面例を示したものである。
【０１０９】
具体的には、ユーザーは、目的とする携帯端末機への発信のために、該当電話番号がマッピングされたショートカット番号を入力する。入力数字が１桁の数でマッピングされたショートカット番号が入力される場合を調べると、参照符号７１１のように、ユーザーが数字ボタン‘３’を所定時間以上入力すれば、携帯端末機はショートカット番号‘３’にマッピングされた電話番号が存在するのかを確認し、存在すれば上記電話番号を抽出する。
【０１１０】
この際、上記携帯端末機は、上記ショートカット番号‘３’にマッピングされた電話番号がサービス制限モードによって登録されている電話番号であるかを判断する。
【０１１１】
上記電話番号がサービス制限モードによって登録されていない電話番号であれば、上記携帯端末機は、参照符号７１３に示したように、サービス制限モードによって発信を行うことができないことを知らせる‘サービス制限モードです。ご使用になることはできません。’などのような所定案内メッセージを出力する。
【０１１２】
他の例として、入力数字が２桁の数でマッピングされたショートカット番号が入力される場合を調べると、参照符号７１７及び参照符号７１９のように、ユーザーが数字ボタン‘４’を入力し、続いて数字ボタン‘２’を所定時間以上入力すれば、携帯端末機はショートカット番号‘４２’にマッピングされた電話番号が存在するのか確認し、存在すれば上記電話番号を抽出する。
【０１１３】
この際、上記携帯端末機は、上記ショートカット番号‘４２’にマッピングされた電話番号がサービス制限モードによって登録されている電話番号であるかを判断する。
【０１１４】
上記電話番号がサービス制限モードによって登録されていない電話番号であれば、上記携帯端末機は、参照符号７２１に示したように、サービス制限モードによって発信を行うことができないことを知らせる所定案内メッセージを出力する。以後、上記携帯端末機は、上記案内メッセージ表示後、所定時間が経過すれば、参照符号７２３に示したように、上記ショートカット番号が入力された初期画面を表示できる。
【０１１５】
もう一つの例として、入力数字が３桁である場合を調べると、参照符号７２５及び参照符号７２７のように、ユーザーが数字ボタン‘１’及び‘２’を順次的に入力し、続いて数字ボタン‘３’を短く入力又は所定時間以上入力すれば、携帯端末機は３桁の数が入力されたことを認知し、参照符号７２９に示したように、サービス制限モードによって発信を行うことができないことを知らせる所定案内メッセージを出力する。以後、上記携帯端末機は、上記案内メッセージ表示後、所定時間が経過すれば、参照符号７３１に示したように、上記ショートカット番号が入力された初期画面を表示できる。
【０１１６】
また、好ましくは、上記のように、入力数字が３桁である場合にサービス制限モードによって発信を制限する場合には、緊急電話番号が、例えば、‘１１２’、‘１１３’及び‘１１９’などのような３桁電話番号である場合には、管理者設定によって上記サービス制限モードに関係なく発信を許容するように設定することができる。
【０１１７】
次に、上記図７ｃを参照すると、参照符号７４０は、携帯端末機の待機状態の画面例を示したものであって、参照符号７４１及び参照符号７４７乃至参照符号７４９は、ユーザーが発信するために目的とする携帯端末機の電話番号がマッピングされたショートカットキー、例えば、数字ボタン１乃至９、又はこれらの組み合わせによるショートカット番号入力に相応する画面例を示したものであって、参照符号７４３及び参照符号７５１は、上記入力ショートカット番号による通信連結を制限する画面例を示したものであって、参照符号７４５及び参照符号７５３は、サービス制限モードによって発信が制限された以後に表示される画面例を示したものである。
【０１１８】
具体的には、ユーザーは、目的とする携帯端末機への発信のために、所定のショートカット番号を入力する。入力数字が１桁の数のショートカット番号が入力される場合を調べると、参照符号７４１のように、ユーザーが数字ボタン‘３’を所定時間以上入力すれば、携帯端末機はショートカット番号‘３’にマッピングされた電話番号が存在するのか確認する。もし、上記ショートカット番号‘３’にマッピングされた電話番号が存在しなければ、上記携帯端末機は、参照符号７４３に示したように、上記ショートカット番号‘３’にマッピングされた電話番号が存在しないので、サービス制限モードによって発信を行うことができないことを知らせる‘指定された番号がありません。登録の後使用してください。’などのような所定案内メッセージを出力する。以後、上記携帯端末機は、上記案内メッセージ表示後、所定時間が経過すれば、参照符号７４５に示したように、上記ショートカット番号が入力された初期画面を表示できる。
【０１１９】
他の例として、入力数字が２桁の数のショートカット番号が入力される場合を調べると、参照符号７４７及び参照符号７４９のように、ユーザーが数字ボタン‘４’を入力し、続いて数字ボタン‘２’を所定時間以上入力すれば、携帯端末機はショートカット番号‘４２’にマッピングされた電話番号が存在するのか確認する。もし、上記ショートカット番号‘４２’にマッピングされた電話番号が存在しなければ、上記携帯端末機は、参照符号７５１に示したように、上記ショートカット番号‘４２’にマッピングされた電話番号が存在しないので、サービス制限モードによって発信を行うことができないことを知らせる所定案内メッセージを出力する。以後、上記携帯端末機は、上記案内メッセージ表示後、所定時間が経過すれば、参照符号７５３に示したように、ショートカット番号が入力された初期画面を表示できる。
【０１２０】
次に、上記図７ｄ及び７ｅを参照すると、参照符号７６０は、携帯端末機の待機状態の画面例を示したものであって、参照符号７６１及び参照符号７６７乃至参照符号７６９及び参照符号７７５は、ユーザーが発信するために目的とする携帯端末機の電話番号を入力する画面例を示したものであって、参照符号７６３、参照符号７７１及び参照符号７７７は、上記電話番号入力による通信連結を制限する画面例を示したものであって、参照符号７６５、参照符号７７３及び参照符号７７９は、サービス制限モードによって発信が制限された以後に表示される画面例を示したものである。
【０１２１】
具体的には、ユーザーは、目的とする携帯端末機への発信のために、該当電話番号を入力する。入力数字が１桁の数の場合を調べると、参照符号７６１のように、ユーザーが数字ボタン‘３’を入力して通信連結を要請すれば、携帯端末機は、上記‘３’の電話番号を、サービス制限モードによって登録されていない電話番号として認知し、参照符号７６３に示したように、サービス制限モードによって発信を行うことができないことを知らせる‘指定された番号がありません。登録の後使用してください。’などのような所定案内メッセージを出力する。以後、上記携帯端末機は、上記案内メッセージ表示後、所定時間が経過すれば、参照符号７６５に示したように、上記電話番号が入力された初期画面を表示できる。
【０１２２】
他の例として、入力数字が２桁の数の場合を調べると、参照符号７６７及び参照符号７６９のように、ユーザーが数字ボタン‘４’を入力し、続いて数字ボタン‘２’を入力して通信連結を要請すれば、携帯端末機は上記‘４２’の電話番号をサービス制限モードによって登録されていない電話番号として認知し、参照符号７７１に示したように、サービス制限モードによって発信を行うことができないことを知らせる所定案内メッセージを出力する。以後、上記携帯端末機は、上記案内メッセージ表示後、所定時間が経過すれば、参照符号７７３に示したように、上記電話番号が入力された初期画面を表示できる。
【０１２３】
さらに他の例として、目的とする携帯端末機の電話番号が入力される場合を調べることにする。例えば、参照符号７７５のように、ユーザーが目的とする携帯端末機の電話番号例えば、‘０１１３１４５５５５５’を順次的に入力して通信連結を要請すれば、携帯端末機は上記‘０１１３１４５５５５５’の電話番号をサービス制限モードによって登録されていない電話番号として認知し、参照符号７７７に示したように、サービス制限モードによって発信を行うことができないことを知らせる所定案内メッセージを出力する。以後、上記携帯端末機は、上記案内メッセージ表示後、所定時間が経過すれば、参照符号７７９に示したように、上記電話番号が入力された初期画面を表示できる。
【０１２４】
図８は、本発明に係る携帯端末機における発信手順を説明するための画面構成の他の一つの例を示す図面である。
【０１２５】
上記図８を参照すると、参照符号８１０は、携帯端末機の待機状態の画面例を示したものであって、参照符号８２０は、サービス制限モードによって発信が可能な、登録されている電話番号等のリストを含むユーザーインタフェース、例えば、発信許容電話帳を示したものであって、参照符号８２１及び参照符号８２３は、ユーザーインタフェースを利用した発信可能電話番号選択によって通信連結を行う画面例を示したものであって、参照符号８２５は、サービス制限モードによって通信連結を制限する画面例を示したものであって、参照符号８２７は、サービス制限モードによって発信が制限された以後に表示される画面例を示したものである。
【０１２６】
具体的には、参照符号８１０のように、ユーザーが、発信許容電話帳を利用した電話発信のために、このような機能にマッピングされた所定のソフトキーを入力すれば、携帯端末機は、上記ソフトキーからの入力によって、参照符号８２０に示したように、上記ソフトキーにマッピングされた発信許容電話帳を出力する。ユーザーは、上記参照符号８２０に示した発信が可能なように登録されている電話番号等のリストから、自身が希望する目的携帯端末機の該当項目、例えば、ショートカット番号を選択できる。そうすると、上記携帯端末機は、参照符号８２１及び参照符号８２３に示したように、上記ユーザーにより選択されるショートカット番号に該当する電話番号に通信連結を行う。
【０１２７】
一方、ユーザーは、上記参照符号８２０に示したバーのような、発信が可能なように登録されている電話番号リストに含まれないショートカット番号を選択できる。このような場合、上記携帯端末機は、上記ユーザーにより選択されるショートカット番号が上記発信許容電話帳に登録されている電話番号でないことを認知し、参照符号８２５に示したように、サービス制限モードによって発信を行うことができないことを知らせる‘指定された番号がありません。登録の後使用してください。’などのような所定案内メッセージを出力する。以後、上記携帯端末機は、上記案内メッセージ表示後、所定時間が経過すれば、参照符号８２７に示したように、上記発信許容電話帳の初期画面を表示できる。
【０１２８】
図９は、本発明に係る携帯端末機における受信機能を制限する動作を示す図面である。
【０１２９】
上記図９を参照すると、まず、携帯端末機は、無線通信網又はインターネット網等を通じて所定の通信連結が要請されると（Ｓ９０１）、サービス制限モード状態が活性化又は非活性化状態であるかを確認する（Ｓ９０３）。上記サービス制限モードが非活性化状態であれば、上記通信連結要請による受信情報、すなわち、受信電話番号によって通信連結を行う（Ｓ９０７）。
【０１３０】
上記サービス制限モードが活性化状態であれば、上記携帯端末機は、上記通信連結要請による受信情報、例えば、受信電話番号を抽出し（Ｓ９０５）、上記受信電話番号が事前にサービス制限モードに登録されている受信許容電話番号であるかを判断する。上記受信電話番号が登録されている電話番号であれば、上記号連結を許容し通信を連結する（Ｓ９０７）。
【０１３１】
上記受信電話番号が登録されている電話番号でなければ、サービス制限モードが活性化状態になって受信を許容することができないことを知らせる所定案内メッセージ、例えば、‘サービス制限モードです。連結出来ません。’などのような形態の案内メッセージを上記通信連結を要請した該当携帯端末機に伝送する（Ｓ９０９）。
【０１３２】
この際、好ましくは、サービス制限モードにより受信が制限される場合、上記サービス制限モード設定方式によって、上記のような案内メッセージを通信連結を要請した該当携帯端末機に伝送し、上記ユーザーに‘XXXに電話がきました。’、又は‘XXX-XXX-XXXXに電話がきました。’などのような案内メッセージを表示することができる（Ｓ９１１）。
【０１３３】
図１０は、本発明に係る携帯端末機における受信手順を説明するための画面例を示す図面である。
【０１３４】
上記図１０を参照すると、参照符号１０１０は、携帯端末機の待機状態の画面例を示したものであって、参照符号１０３０は、サービス制限モードによって受信制限された受信情報を表示する画面構成の例を示したものであって、参照符号１０５０は、サービス制限モードによって受信が制限された以後に表示される画面例を示したものである。
【０１３５】
具体的に、携帯端末機は、外部から受信が要請されると、即ち、他の携帯端末機のユーザーから電話連結要請が受信されれば、サービス制限モードが活性化又は非活性化状態であるかを判断する。
【０１３６】
この際、上記判断の結果、サービス制限モードが非活性化状態である場合、上記携帯端末機は、上記通信連結要請による受信電話番号によって、上記他の携帯端末機との通信を連結する。
【０１３７】
一方、上記判断の結果、サービス制限モードが活性化状態である場合、上記携帯端末機は、上記通信連結要請による受信電話番号を抽出し、上記抽出された受信電話番号が、サービス制限モードに登録されている電話番号、すなわち、受信が許容された電話番号であるかを判断する。
【０１３８】
上記判断の結果、受信が許容された電話番号であれば、上記携帯端末機は、上記受信電話番号によって上記他の携帯端末機との通信を連結する。上記判断の結果、受信が許容された電話番号でなければ、上記携帯端末機は、上記受信電話番号がサービス制限モードによって登録されていない電話番号であると判断し、参照符号１０３０に示したように、サービス制限モードによって受信を行うことができないことを知らせる‘XXXに電話がきました。’又は‘XXX-XXX-XXXXに電話がきました。’などのような所定案内メッセージを表示する。以後、上記携帯端末機は、上記案内メッセージ表示後、所定時間が経過すれば参照符号１０５０に示したように上記待機画面を表示できる。
【０１３９】
この際、上記携帯端末機は、上記案内メッセージを表示するとともに、上記他の携帯端末機に自身がサービス制限モードに設定されて受信を許容することができないことを知らせる‘サービス制限モードです。連結出来ません。’などのような案内メッセージを伝送するようにすることが望ましい。
【０１４０】
また、上記携帯端末機は上記のように、上記受信が制限された電話番号を、例えば‘拒否リスト’に保存するようにすることが望ましい。
【０１４１】
図１１は、本発明に係る携帯端末機における、サービス利用を制限する動作手順を示す図面である。
【０１４２】
上記図１１を参照すると、まず、携帯端末機は、携帯端末機ユーザーから発信が要請されたり、又は外部の他の携帯端末機ユーザーから受信が要請されると、（Ｓ１１０１）、上記要請される発信又は受信に対する該当サービスを判断する（Ｓ１１０３）。
【０１４３】
例えば、上記１１０３段階で上記携帯端末機は発信／受信サービス、ＳＭＳサービス及びデータ通信サービスであるかを判断する。しかし、本発明は、これらのサービスに限定されることなく、携帯端末機による多様なサービスを支援できる。
【０１４４】
次に、上記要請されるサービスが発信／受信サービスである場合、上記携帯端末機は、サービス制限モード状態を確認する（Ｓ１１１１）。上記サービス制限モードが非活性化状態である場合、上記携帯端末機は、上記要請される発信又は受信情報、すなわち、電話番号によって通信を連結する（Ｓ１１１５）。上記サービス制限モードが活性化状態である場合、上記携帯端末機は、上記要請される発信又は受信情報、すなわち、電話番号が事前にサービス制限モードによって発信／受信が可能なように登録されている電話番号であるかを判断する（Ｓ１１１３）。
【０１４５】
上記要請される発信又は受信電話番号が登録されている電話番号であれば、上記携帯端末機は、上記要請による発信又は受信を許容し通信を連結する（Ｓ１１１５）。
【０１４６】
上記要請される発信又は受信電話番号が登録されている電話番号でなければ、上記携帯端末機は、発信／受信が制限状態になっていることを案内する案内メッセージを提供する（Ｓ１１１７）。好ましくは、発信要請の場合には、ユーザーに案内メッセージを表示し、受信要請の場合には、上記案内メッセージを表示するとともに上記他の携帯端末機に上記携帯端末機の受信が制限されていることを案内する案内メッセージを伝送する。
【０１４７】
次に、上記要請されるサービスがＳＭＳ／ＭＭＳ／Ｖｏｉｃｅサービスである場合、上記携帯端末機は、サービス制限モード状態を確認する（Ｓ１１２１）。上記サービス制限モードが非活性化状態である場合、上記携帯端末機は、上記要請されるＳＭＳ／ＭＭＳ／Ｖｏｉｃｅサービスを許容し、メッセージ伝送又はメッセージ受信を行う（Ｓ１１２５）。上記サービス制限モードが活性化状態である場合、上記携帯端末機は、上記ＳＭＳ／ＭＭＳ／Ｖｏｉｃｅサービスが、事前にサービス制限モードによってＳＭＳ／ＭＭＳ／Ｖｏｉｃｅサービス利用が可能なように登録されているかを判断する（Ｓ１１２３）。
【０１４８】
上記ＳＭＳ／ＭＭＳ／Ｖｏｉｃｅサービスが、サービス制限モードで登録されているサービスでなければ、すなわち、ＳＭＳ／ＭＭＳ／Ｖｏｉｃｅサービスが、サービス制限モード活性化状態で利用可能なように許容されない場合、上記携帯端末機は、ＳＭＳ／ＭＭＳ／Ｖｏｉｃｅサービス利用が制限状態になっていることを案内する案内メッセージを提供する（Ｓ１１２７）。
【０１４９】
好ましくは、上記要請がメッセージ伝送である場合には、ユーザーに案内メッセージを表示し、上記要請がメッセージ受信である場合には、上記案内メッセージを表示するとともに上記他の携帯端末機に、上記携帯端末機のメッセージ受信が制限されていることを案内する案内メッセージを伝送する。
【０１５０】
例えば、該当携帯端末機の電話番号がサービス制限モードで登録されている電話番号であるかを判断し、その判断結果によって、上記ＳＭＳ／ＭＭＳ／Ｖｏｉｃｅサービス利用を許容／制限することができる。
【０１５１】
図１２は、図１１の本発明に係るサービス制限方法の操作手順を示す図面である。
【０１５２】
上記図１２を参照すると、参照符号１２１０は、ユーザーにより登録される電話番号等のリストを含むユーザーインタフェース、例えば、一般電話帳の画面構成例を示したものであって、参照符号１２２０は、ユーザーにより選択される該当電話番号がサービス制限モードによってメッセージ送信に許容された電話番号であるかを判断する処理手順を示したものであって、参照符号１２３０は、サービス制限モードによってメッセージ送信を制限する画面例を示したものであって、参照符号１２４１乃至参照符号１２４５は、送信メッセージ形態、例えばＳＭＳ／ＭＭＳ／Ｖｏｉｃｅによるそれぞれの画面構成例を示したものであって、参照符号１２５０は、サービス制限モードによってメッセージ送信が許容された電話番号に上記ＳＭＳ／ＭＭＳ／Ｖｏｉｃｅに対応するメッセージを送信する画面例を示したものである。
【０１５３】
例えば、参照符号１２１０のように、ユーザーが、電話帳からメッセージ送信を希望する目的の携帯端末機の該当受信者項目を選択すれば、携帯端末機は、参照符号１２３０に示したように、上記ユーザーが選択する目的携帯端末機の該当電話番号が、サービス制限モードに登録されている電話番号、すなわちメッセージ送信が許容された電話番号に登録されているのか判断する。
【０１５４】
それで、上記電話番号がサービス制限モードに登録されていない場合、上記携帯端末機は、参照符号１２３０に示したように、サービス制限モードによってメッセージ送信を行うことができないことを知らせる‘サービス制限モードです。ご使用になることができません。’などのような所定案内メッセージを出力する。以後、上記携帯端末機は、上記案内メッセージ表示後、所定時間が経過すれば、参照符号１２１０に示したように、上記前の画面を表示できる。
【０１５５】
上記電話番号がサービス制限モードに登録されている場合、上記携帯端末機は、ユーザー要請によるメッセージ入力ウィンドウ、例えば参照符号１２４１乃至参照符号１２４５に示したバーのようなＳＭＳ、ＭＭＳ又はＶｏｉｃｅなどのメッセージ入力ウィンドウを提供する。そうすると、ユーザーは、上記提供されているメッセージ入力ウィンドウを通じてメッセージ作成を完了し、該当メッセージの送信を要請する。上記携帯端末機は、参照符号１２５０に示したように、ユーザーにより作成されたメッセージ、例えばＳＭＳ、ＭＭＳ又は録音されたＶｏｉｃｅなどを上記選択する該当携帯端末機に送信する。
【０１５６】
また、上記図１１を参照すると、上記要請されるサービスがデータ通信サービスである場合、上記携帯端末機は、サービス制限モード状態を確認する（Ｓ１１３１）。
【０１５７】
上記サービス制限モードが非活性化状態である場合、上記携帯端末機は、上記要請されるデータ通信サービスを許容し、ユーザー要請に相応するデータ通信を行う（Ｓ１１３５）。
【０１５８】
上記サービス制限モードが活性化状態である場合、上記携帯端末機は、上記要請されるデータ通信サービスが、事前にサービス制限モードによってデータ通信利用が可能なように登録されているかを判断する（Ｓ１１３３）。すなわち、上記データ通信サービスの利用による許容可否を判断する。上記データ通信サービスがサービス制限モードに登録されているサービスであれば、すなわち、データ通信サービスがサービス制限モード活性化状態で利用可能なように許容された場合、上記携帯端末機はデータ通信を行う（Ｓ１１３５）。上記データ通信サービスがサービス制限モードに登録されているサービスでなければ、すなわち、データ通信サービスがサービス制限モード活性化状態で利用可能なように許容されない場合、上記携帯端末機は、データ通信サービス利用が制限状態になっていることを案内する案内メッセージを提供する（Ｓ１１３７）。
【０１５９】
好ましくは、上記要請されるデータ通信サービスがユーザーによる接続である場合には、ユーザーに案内メッセージを表示し、上記要請されるデータ通信サービスが所定ウェブサーバー（Web Server）から要請される接続である場合には、上記ユーザーに案内メッセージを表示するとともに、上記データ通信接続を要請する該当ウェブサーバーに上記携帯端末機のデータ通信が制限状態になっていることを案内する案内メッセージを伝送する。
【０１６０】
図１３は、本発明に係る携帯端末機における、サービス制限モード活性化状態によって発信を許容／制限する画面構成の例を示す図面である。
【０１６１】
上記図１３を参照すると、参照符号１３１０は、ユーザーにより登録される電話番号等のリストを含むユーザーインタフェース、例えば一般電話帳の画面構成例を示したものであって、参照符号１３２０は、ユーザーにより選択される電話番号が、サービス制限モードによって発信が許容された電話番号であるかを判断する処理手順を示したものであって、参照符号１３３０は、サービス制限モードによって発信が許容された電話番号によって通信連結を行う画面構成の例を示したものであって、参照符号１３４０は、サービス制限モードによって発信が拒否された電話番号によって通信連結を制限する画面例を示したものである。
【０１６２】
例えば、参照符号１３１０のように、ユーザーが電話帳で発信を希望する目的携帯端末機の該当受信者項目を選択すれば、携帯端末機は、参照符号１３２０に示したように、上記ユーザーが選択する目的携帯端末機の該当電話番号が、サービス制限モードに登録されている電話番号、すなわち、発信が許容された電話番号に登録されているのか判断する。上記電話番号がサービス制限モードに登録されている場合、上記携帯端末機は、参照符号１３３０に示したように、ユーザー要請によって上記選択される電話番号に相応する目的携帯端末機と通信連結を行う。上記電話番号がサービス制限モードに登録されていない場合、上記携帯端末機は、参照符号１３４０に示したように、サービス制限モードによって発信を行うことができないことを知らせる‘サービス制限モードです。ご使用になることができません。’などのような所定案内メッセージを出力する。以後、上記携帯端末機は、上記案内メッセージ表示後、所定時間が経過すれば、参照符号１３１０に示したように、上記前の画面を表示できる。
【０１６３】
図１４は、本発明に係る携帯端末機における、電話帳に登録されている情報を削除する手順を示す図面である。
【０１６４】
上記図１４を参照すると、参照符号１４１０は、携帯端末機において提供されている一般的な電話帳の画面構成例を示したものであって、参照符号１４２０は、ユーザーにより選択される受信者情報が、サービス制限モードに従い管理者により登録されている電話番号であるかを判断する処理手順を示したものである。参照符号１４３１は、ユーザーが選択した受信者情報が、サービス制限モードに従い管理者により登録されている電話番号によってアクセスが制限される画面構成の例を示したものであって、参照符号１４３３は、サービス制限モードによってアクセスが制限された以後に表示される画面構成の例を示したものである。参照符号１４４１及び参照符号１４４３は、ユーザーの選択した受信者情報が、サービス制限モードに従い管理者により登録されている電話番号でない場合に、ユーザー要請によって該当受信者情報を削除する画面構成の例を示したものであって、参照符号１４４５は、ユーザーが選択した受信者情報を削除した後に表示される画面構成の例を示したものである。
【０１６５】
例えば、参照符号１４１０のようにユーザーが電話帳から削除を希望する受信者情報を選択後、削除を要請すれば、携帯端末機は、参照符号１４２０に示したように、上記ユーザーが削除を要請する受信者情報が、サービス制限モードに登録されている受信者情報、すなわち、管理者により発信許容電話帳に登録されている受信者情報であるかを判断する。上記受信者情報がサービス制限モードに登録されている場合、上記携帯端末機は、参照符号１４３１に示したように、サービス制限モードによって該当受信者情報を削除出来ないことを知らせる‘サービス制限モードです。ご使用になることができません。’などのような所定案内メッセージを出力する。以後、上記携帯端末機は、上記案内メッセージ表示後、所定時間が経過すれば参照符号１４３３に示したように上記前の画面を表示できる。
【０１６６】
上記受信者情報が、サービス制限モードに登録されていない場合、上記携帯端末機は、参照符号１４４１及び参照符号１４４３に示したように、ユーザー要請によって上記選択される該当受信者情報を削除する。以後、上記携帯端末機は、上記受信者情報削除後、参照符号１４４５に示したように、上記削除する受信者情報が省略された電話帳の画面を表示できる。
【０１６７】
図１５は、本発明に係る携帯端末機における、提供されている電話帳ユーザーインタフェースの画面構成例を示す図面である。
【０１６８】
上記図１５を参照すると、参照符号１５１０は、携帯端末機において提供されている一般的な電話帳の画面構成例を示したものであって、参照符号１５３０は、携帯端末機において提供されている発信許容電話帳の画面構成例を示したものであって、参照符号１５３５は、発信許容電話番号にマッピングされるショートカット番号の例を示したものである。
【０１６９】
具体的に、上記図１５に示したように、本発明ではユーザー設定によって多様な形態の電話帳を構成でき、特に、サービス制限モードによって、参照符号１５３０に示した発信許容電話帳には、上記サービス制限モードに登録されている受信者情報のみを含む。また、上記発信許容電話帳では、参照符号１５３５に示したように、発信可能電話番号に各々マッピングされるショートカット番号を共に表示することが望ましい。
【０１７０】
この際、上記参照符号１５１０の一般電話帳と参照符号１５３０の発信許容電話帳は、同じ受信者情報を各々表示する概念に、同じデータが重複して存在することを理解するべきである。
【０１７１】
図１６ａ乃至図１６ｄは、本発明に係る携帯端末機における、サービス制限モードによるスクリーンイメージの例を示す図面である。
【０１７２】
上記図１６ａ乃至図１６ｄに図示したように、ユーザーが所定のキー入力などのためにメニューを要請すれば、携帯端末機は、待機状態１６１１、１６２１、１６３１、１６４１において、上記要請によってスクリーンイメージ１６１３、１６２３、１６３３、１６４３を表示する。そうすると、ユーザーは、スクリーンイメージを通じてユーザーが希望する機能をまさに実行できる。
【０１７３】
まず、上記図１６ａを参照すると、ユーザーがスクリーンイメージ１６１３、１６２３、１６３３、１６４３で所定の方向キーなどを用いて‘Call Record’を選択すれば、携帯端末機はこれに応答して、参照符号１６１５に示したように、発信／受信動作による情報を確認することができるメニューツリー（Menu Tree）を表示できる。
【０１７４】
特に、上記サービス制限モードによって発信／受信が拒否された情報を確認することができる‘Reject calls’メニュー項目などを含む。好ましくは、上記参照符号１６１５で‘全体’、‘Missed calls’、‘受信’、及び‘発信’メニュー項目に累積される発信／受信動作による情報は、サービス制限モードに登録されている情報のみを累積するようにする。
【０１７５】
次に、上記図１６ｂを参照すると、ユーザーがスクリーンイメージ１６１３、１６２３、１６３３、１６４３で‘電話帳’を選択すれば、携帯端末機は、これに応答して参照符号１６２５に示したように、ユーザー／管理者により登録されている電話番号等のリストなどを確認することができるメニューツリーを表示することができる。
【０１７６】
特に、一般的に携帯端末機では、ユーザーが登録した電話番号リストを確認することができる‘接続リスト’メニュー項目、サービス制限モードによって管理者が発信／受信などを許容するように登録した電話番号リストを確認することができる‘Parental Groupメニュー項目などを含む。好ましくは、上記参照符号１６２５で‘グループ’メニュー項目のように、上記‘接続リスト’に含まれる電話番号リストの中のサービス制限モードに登録されていない電話番号リストを確認することができる‘グループ’メニュー項目を含むことができる。
【０１７７】
次に、上記図１６ｃを参照すると、ユーザーがスクリーンイメージ１６１３、１６２３、１６３３、１６４３で‘Fun & Apps’を選択すれば、携帯端末機は、これに応答して、参照符号１６３５に示したように、携帯端末機において提供する付加サービス、例えば‘ファイル管理者’、ゲーム’、‘オーディオプレーヤー’、及び‘カメラ’などのメニューツリーを表示できる。
【０１７８】
次に、上記図１６ｄを参照すると、ユーザーがスクリーンイメージ１６１３、１６２３、１６３３、１６４３で‘設定’を選択すれば、携帯端末機は、これに応答して、参照符号１６４５に示したように、ユーザー／管理者が携帯端末機の付加機能、例えば‘時間＆デート’、‘電話設定’、‘表示設定’、‘サウンド設定’、及び‘Parental Guide Mode’などのメニューツリーを表示できる。
【０１７９】
特に、上記サービス制限モードによって、携帯端末機ユーザーと管理者が設定できる項目を区分し、ユーザーの管理者設定モードへの進入を制限するようにすることが望ましい。例えば、‘Display settings’、‘Parental Guide Mode’及び‘Software update’などのように、サービス制限モードによって管理者により設定するメニュー項目に対しては、ユーザーのアクセスを制限することが望ましい。
【０１８０】
また、好ましくは、上記‘Software update’メニュー項目を通じてソフトウェア更新又は設定リセット（settings reset）行う場合には、その範囲内に上記管理者により設定される項目、例えば‘Parental Guide Mode’は含まれないようにする。
【０１８１】
また、上記図１６ａ乃至図１６ｄに示されたスクリーンイメージ１６１３、１６２３、１６３３、１６４３では、ＷＡＢ（ＷＡＰ）などに接続することが管理者により未然に制限でき、好ましくは上記スクリーンイメージ１６１３、１６２３、１６３３、１６４３上から該当メニュー項目が制限されていることを別途に表示するようにする。
【０１８２】
図１７は、本発明に係る携帯端末機における、サービス利用を制限するサービス制限モードを登録する例を示す図面である。
【０１８３】
上記図１７を参照すると、まず、携帯端末機は、サービス制限モード設定要請が発生すれば（Ｓ１７０１）、パスワード、例えば個人識別番号（PIN）入力を要請する（Ｓ１７０３）。続いて、上記携帯端末機は、パスワード入力要請後、これに応答して管理者から所定のパスワード入力が発生すれば、上記入力されるパスワードが有効か判断する（Ｓ１７０５）。
【０１８４】
上記入力パスワードが一致しないと、上記携帯端末機は、決まった回数の間パスワード入力を反復確認した後（Ｓ１７０７）、上記の結果に相応する動作を行う（Ｓ１７０９）。例えば、決まった回数の間入力パスワードが一致しないと、上記手順を終了し、上記反復の間に一致するパスワードが入力されれば、管理者が管理しようとするサービス制限モードを確認する（Ｓ１７１１）。
【０１８５】
例えば、上記１７１１段階に示したように、発信／受信利用を許容／制限するための電話番号設定／変更／登録のための入力であるかを確認する。上記の結果、サービス制限モード変更が発信／受信電話番号登録である場合、上記携帯端末機は、サービス制限モードによって発信／受信を許そうとする情報を入力できる、例えば電話番号入力ウィンドウを表示する（Ｓ１７１３）。以後、上記携帯端末機は、上記電話番号入力ウィンドウを通じて管理者からの所定電話番号の入力が完了すれば、上記携帯端末機は、上記入力された電話番号に相応するショートカット番号登録を要請する（Ｓ１７１５）。以後、上記ショートカット番号登録が完了すれば、上記入力電話番号とショートカット番号をマッピング（mapping）及び保存した後（Ｓ１７１７）、次の段階に進行する。
【０１８６】
具体的に、上記携帯端末機は、上記管理者からの所定電話番号入力が完了すれば、上記入力電話番号に相応するショートカット番号設定を要求する。以後、管理者から所定ショートカット番号が入力されれば、上記携帯端末機は、上記ショートカット番号の使用可能可否を判断した後、それによって上記ショートカット番号を上記入力電話番号にマッピングして登録する。
【０１８７】
この際、好ましくは、上記所定電話番号の入力完了を認知すれば、上記携帯端末機は、自身が許容可能なショートカット番号の目録、例えば１、３、１５、２３などのように電話番号が登録されていない空のショートカット番号目録を表示することができる。
【０１８８】
また、上記手順は、まず空のショートカット番号を管理者に提供するか、または入力を要請した後、それに相応する電話番号入力を要請する順序のように提供することができる。
【０１８９】
また、上記入力される電話番号を登録する場合において、上記入力電話番号を発信許容目録に適用するか、受信許容目録に適用するか、又は発信及び受信皆の許容目録適用するなどを設定することができる。
【０１９０】
次に、上記管理者による発信／受信サービス制限モードに対する設定／変更／登録の完了成否を判断する（Ｓ１７１９）。管理者のサービス制限モードに対する設定／変更／登録が完了しない場合、上記携帯端末機は、設定／変更／登録しようとする電話番号入力を要請した後、上記手順を反復する（Ｓ１７１３）。管理者のサービス制限モード設定／変更／登録が完了した場合、管理者要請による該当動作を行う（Ｓ１７２１）。
【０１９１】
次に、サービス制限モード変更が発信／受信利用を許容／制限するための電話番号の設定／変更／登録でない場合、サービス制限モードによって上記携帯端末機における提供するサービス等の目録を提供する（Ｓ１７２３）。
【０１９２】
例えば、上記携帯端末機は、サービス制限モードによってユーザーが利用可能なサービス目録、又はサービス制限モードによってユーザーのサービス利用が許容されたサービス目録を表示できる。ここで、上記サービス目録は、好ましくは、発信／受信サービス、ＳＭＳ／ＭＭＳ／Ｖｏｉｃｅサービス、データ通信サービス、及びこれに対する応用サービスなどを含むことができる。
【０１９３】
次に、上記携帯端末機は、上記表示された各サービス別許容／制限による活性化／非活性化の選択の完了成否を判断する（Ｓ１７２５）。各サービス別活性化／非活性化の選択が完了すれば、上記許容／制限によって活性化を選択された該当サービスを、サービス制限モード活性化モードに登録し、非活性化を選択されるか又は解除された該当サービスをサービス制限モード非活性化モードに登録する（Ｓ１７２７）。すなわち、上記各サービス別利用を許容／制限する等の設定を保存する。
【０１９４】
続いて、上記携帯端末機は、上記設定手順の完了成否を判断する（Ｓ１７２９）。管理者のサービス別サービス制限モード設定が完了しない場合、上記携帯端末機は、上記手順を反復する（Ｓ１７２３）。一方、管理者のサービス別サービス制限モード設定が完了した場合、上記携帯端末機はユーザー要請による動作を行う（Ｓ１７２１）。
【０１９５】
一方、上記図１７では図示しなかったが、上記サービス制限モード利用のためのパスワード、例えば個人識別番号を変更することをができる。
【０１９６】
また、上記サービス制限モード設定方法は、携帯端末機ユーザーを管理できる管理者及び管理者情報を登録する手順を含むことができる。
【０１９７】
図１８は本発明に係る携帯端末機における、サービス制限モードに相応するように設定される待機画面の構成例を示す図面である。
【０１９８】
図１８を参照すると、特に、上記待機画面に構成される上記ショートカット番号は、スピードダイヤル（Speed Dial）機能により設定されることができる。上記スピードダイヤル機能に対しては後述するので、ここではその詳細な説明は省略する。
【０１９９】
上記図１８を参照すると、管理者は待機画面設定モードで、特に、サービス制限モードによるショートカット番号を表示する待機画面を設定して表示できる。そうすると、上記携帯端末機は、上記図１８に図示したように、管理者によりサービス制限モードに登録されている電話番号に対応するショートカット番号を含む待機画面を表示できる。
【０２００】
好ましくは、上記待機画面を表示するＬＣＤがタッチスクリーンで形成される場合、ユーザーは、ＬＣＤ画面で簡単なタッチのみでも発信動作を行うことができる。
【０２０１】
また、上記図１８に示したショートカット番号の形態は、本発明に係る一つの例を示しているが、本発明はこれに限定されない。また、好ましくは、上記待機画面に表示されるショートカット番号、及びサービス制限モードに登録されている電話番号が、１乃至９にマッピングされた情報を表示する例を示したが、本発明はこれに限定されない。
【０２０２】
図１９は、本発明に係る携帯端末機における、サービス制限モード進入成功による処理過程を示す図面である。
【０２０３】
特に、上記図１９では、管理者がサービス制限モードに関連した設定変更などのためにサービス制限モードに進入する手順における進入成功による画面構成の例を示したものである。
【０２０４】
上記図１９を参照すると、参照符号１９１０は、携帯端末機において提供する設定メニューのスクリーンイメージの例を示したものであって、参照符号１９２０は、管理者が本発明に係るサービス制限モード項目を選択する場合に、パスワード入力を要請する画面構成の例を示したものであって、参照符号１９３０は、上記パスワード入力要請によって管理者がパスワードを入力した画面構成の例を示したものである。参照符号１９４０は、上記入力したパスワードが正常な場合にサービス制限モードへの進入が成功したことを案内する画面構成の例を示したものであって、参照符号１９５０は、上記サービス制限モードへの進入成功によるサービス制限モードの細部メニューのスクリーンイメージの例を示したものである。
【０２０５】
上記の動作を調べれば、まず管理者はサービス制限モードに関連した設定のために、所定の手順を通じて、上記参照符号１９１０に示したメニューに進入してサービス制限モード項目を選択できる。そうすると、携帯端末機は、上記サービス制限モード項目が選択されれば、参照符号１９２０に示したように、サービス制限モードへの進入のためのパスワード入力を要請する。ここで、上記パスワードは、管理者により事前に設定されることができ、初期パスワード入力時には、携帯端末機において提供する基本パスワードを入力することが望ましい。
【０２０６】
次に、管理者は、上記パスワード入力要請に応答して、参照符号１９３０のように、キーボードなどを用いて所定のパスワードを入力できる。そうすると、携帯端末機は、上記入力されるパスワードを抽出して、事前に登録されているパスワードと一致するのかチェックする。上記チェックの結果、上記入力されたパスワードが既存パスワードと一致しないと、携帯端末機は、パスワード入力を再要請するか、サービス制限モードへの進入を終了できる。上記チェックの結果、上記入力されたパスワードが既存パスワードと一致すれば、携帯端末機は、参照符号１９５０に示したように、サービス制限モードと関連した設定を変更できるメニュー画面を表示できる。そうすると、管理者は、上記のようなメニューを用いてサービス制限モードに関連した設定を変更できる。
【０２０７】
図２０は、本発明に係る携帯端末機における、サービス制限モード進入失敗による処理過程を示す図面である。
【０２０８】
特に、上記図２０を参照すると、参照符号２０１０は、携帯端末機において提供する設定メニューのスクリーンイメージの例を示したものであって、参照符号２０２１、参照符号２０２３、参照符号２０３１、参照符号２０３３、参照符号２０４１及び参照符号２０４３は、ユーザー／管理者のサービス制限モード進入によるパスワード入力要請画面、及びそれに応答してユーザー／管理者からパスワードが入力された画面構成の例を示したものである。参照符号２０２５、参照符号２０３５及び参照符号２０４５は、ユーザー／管理者から誤ったパスワードが入力された際、警告メッセージを出力する画面構成の例を示したものであって、参照符号２０５０は、ユーザー／管理者のサービス制限モード進入によって、事前に登録されている管理者にＳＭＳを発送する画面構成の例を示したものであって、参照符号２０６０は、サービス制限モード進入失敗によって初期設定メニュー画面へ移動して表示する画面構成の例を示したものである。
【０２０９】
上記の動作を調べれば、まず、ユーザー／管理者は、サービス制限モードに関連した設定のために、所定の手順を通じて、上記参照符号２０１０に示したメニューに進入してサービス制限モード項目を選択できる。そうすると、携帯端末機は、上記サービス制限モード項目が選択されれば、参照符号２０２１に示したように、サービス制限モードへの進入のためのパスワード入力を要請する。ここで、上記パスワードは管理者により事前に設定されることができ、初期パスワード入力時には、携帯端末機において提供する基本パスワードを入力することが望ましい。
【０２１０】
次に、ユーザー／管理者は、上記パスワード入力要請に応答して参照符号２０２３のようにキーボードなどを用いて所定のパスワードを入力できる。そうすると、携帯端末機は、上記入力されるパスワードを抽出して事前に登録されているパスワードと一致するのかチェックする。上記チェックの結果、上記入力されたパスワードが既存パスワードと一致しないと、携帯端末機は、参照符号２０２５に示したように、所定の警告メッセージを出力する。上記警告メッセージ出力後、所定時間が経過すれば、上記携帯端末機はパスワード再入力を要請するか、サービス制限モードへの進入を終了できる。
【０２１１】
この際、ＳＭＳメッセージは、失敗の場合にのみ伝送することができるが、好ましくは、ユーザー／管理者がサービス制限モードに進入した場合のパスワード入力成功、及びパスワード入力失敗のあらゆる場合に伝送するようにすることが望ましい。
【０２１２】
従って、上記転送されるＳＭＳでは、サービス制限モードへの進入が発生したことを知らせる情報をはじめとして、上記サービス制限モードへの進入成功及び失敗状態に対する関連情報を含むことができる。
【０２１３】
一方、上記携帯端末機は、上記のように、ユーザー／管理者から入力されたパスワード認証が失敗することによって、上記サービス制限モードへの進入を拒否し、参照符号２０６０に示したように、上記初期設定メニュー画面を表示できる。
【０２１４】
図２１は、本発明に係る携帯端末機における、サービス制限モードの設定及び解除処理過程を示す図面である。
【０２１５】
特に、上記図２１は、上記図１９で示したように、管理者がサービス制限モード進入に成功することによって表示されるサービス制限モードの細部メニュー画面と、上記細部メニューで‘設定及び解除’メニュー選択による処理過程を示す図面である。
【０２１６】
ここで、サービス制限モードの細部メニューの中の上記‘設定及び解除’メニューは、上記サービス制限モードの設定及び解除に関連した情報を変更できるメニューを示す。
【０２１７】
上記図２１を参照すると、参照符号２１１０は、管理者がサービス制限モードへの進入に成功する場合に表示されるサービス制限モードに相応する細部メニュー構造の例を示したものであって、参照符号２１２０は、上記細部メニューの中の‘設定及び解除’メニュー選択による画面構成の例を示したものであって、参照符号２１３０は、上記設定変更完了後に事前設定メニュー画面へ移動して表示する画面構成の例を示したものである。
【０２１８】
上記の動作を調べると、まず、管理者がサービス制限モード進入に成功すれば、携帯端末機は、参照符号２１１０に示したサービス制限モードに関連した細部メニュー画面を表示する。そうすると、管理者は上記細部メニューを通じて希望するサービス制限モードに関連した設定を変更できる。
【０２１９】
この際、上記図２１では‘設定及び解除’メニュー選択による手順を説明する。すなわち、管理者が上記細部メニューの中の‘設定及び解除’メニューを選択すれば、携帯端末機は、上記‘設定及び解除’メニュー選択に応答して、参照符号２１２０に示したように、サービス制限モードの設定及び解除を選択できる画面を表示できる。
【０２２０】
従って、管理者は、所定の入力などの動作を通じて、上記参照符号２１２０の画面でサービス制限モードのオン（On）又はオフ（Off）を選択できる。そうすると、上記携帯端末機は、上記管理者により選択されるオン／オフを確認し、それによってサービス制限モードの設定又は解除情報を保存し、参照符号２１３０に示したように、事前設定メニュー画面を表示できる。
【０２２１】
図２２は、本発明に係る携帯端末機における、サービス制限モードの管理者パスワード変更過程を示す図面である。
【０２２２】
特に、上記図２２は、上記図１９で示したように、管理者がサービス制限モード進入に成功することによって表示されるサービス制限モードの細部メニュー画面と、上記細部メニューの‘パスワード変更’メニュー選択による処理過程を示す図面である。
【０２２３】
ここで、サービス制限モードの細部メニューの中の上記’パスワード変更’メニューは、上記サービス制限モードのパスワードを変更できるメニューを示す。この際、初期サービス制限モードによるパスワードは、携帯端末機において提供する基本パスワードに設定することが望ましい。
【０２２４】
上記図２２を参照すると、参照符号２２１０は、管理者がサービス制限モードへの進入に成功する場合に表示される、サービス制限モードに相応する細部メニュー構造の例を示したものであって、参照符号２２２１及び参照符号２２２３は、管理者の‘パスワード変更’メニュー選択によって既存パスワード入力を要請する画面と、それによって管理者がパスワードを入力した画面構成の例を示したものである。参照符号２２３１及び参照符号２２３３は、上記管理者が入力したパスワードが正常な場合、変更しようとする新しいパスワード入力を要請する画面と、それによって管理者が新しいパスワードを入力した画面構成の例を示したものである。参照符号２２４１及び参照符号２２４３は、上記管理者が入力した新しいパスワードに対する確認のために、変更しようと新しく入力した上記パスワードの入力を再度要請する画面と、それによって管理者が新しいパスワードを入力した画面構成の例を示したものである。参照符号２２５０は、管理者要請によってパスワード変更が正常に完了したことを案内する画面構成の例を示したものであって、参照符号２２６０は、上記パスワード変更完了後に事前設定メニュー画面へ移動して表示する画面構成の例を示したものである。
【０２２５】
上記の動作を調べると、まず管理者がサービス制限モード進入に成功すれば、携帯端末機は、参照符号２２１０に示したバーのようなサービス制限モードに関連した細部メニュー画面を表示する。そうすると、管理者は、上記細部メニューを通じて希望するサービス制限モードに関連した設定を変更できる。
【０２２６】
この際、上記図２２では‘パスワード変更’メニュー選択による手順を説明する。すなわち、管理者が、上記細部メニューの中の‘パスワード変更’メニューを選択すれば、携帯端末機は、上記‘パスワード変更’メニュー選択に応答して、参照符号２２２１に示したように、サービス制限モードによって事前に登録されているパスワードの入力を要請する画面を表示できる。
【０２２７】
従って、管理者は、所定の身長入力などの動作を通じて、上記参照符号２２２３のように、所定のパスワードを入力できる。そうすると、上記携帯端末機は、上記管理者により入力されるパスワードに対する所定認証を行って、上記パスワードが正常な場合、参照符号２２３１に示したように、管理者が変更しようとする新しいパスワードの入力を要請する画面を表示できる。
【０２２８】
次に、管理者は、所定の身長入力などの動作を通じて、上記参照符号２２３３のように、変更しようとする新しいパスワードを入力できる。上記携帯端末機は、上記管理者の新しいパスワード入力によって、参照符号２２４１のように、新しいパスワードの確認のために、管理者が変更する新しいパスワードの入力を再要請する画面を表示できる。
【０２２９】
これに応答し、管理者は、所定の身長入力などの動作を通じて、上記参照符号２２４３のように、変更する新しいパスワードを入力できる。そうすると、上記携帯端末機は、変更する新しいパスワードの入力をチェックし、２回に渡って入力されたパスワードが同一であるかを判断する。
【０２３０】
上記２回のパスワード入力が同じ場合、上記携帯端末機は、上記参照符号２２５０に示したように、管理者が要請する新しいパスワードの貯蔵及び新しいパスワードへの変更が正常になされることを案内する画面を表示できる。以後、上記携帯端末機は、サービス制限モードのパスワード変更を完了すれば、上記参照符号２２６０に示したように、事前設定メニュー画面を表示できる。
【０２３１】
図２３は、本発明に係る携帯端末機における、サービス制限モードを管理する管理者登録過程を示す図面である。
【０２３２】
特に、上記図２３は、上記図１９で示したように、管理者がサービス制限モード進入に成功することによって表示されるサービス制限モードの細部メニュー画面と、上記細部メニューの‘管理者登録’メニュー選択による処理過程を示す図面である。
【０２３３】
ここで、サービス制限モードの細部メニューの中の上記‘管理者登録’メニューは、上記サービス制限モードに対する管理を担当する管理者及び／又はＳＭＳを受信する管理者を登録できるメニューを示す。
【０２３４】
この際、好ましくは、上記ＳＭＳを受信することができる管理者は多数を設定できるようにする。
【０２３５】
上記図２３を参照すると、まず、管理者がサービス制限モード進入に成功すれば、携帯端末機は、参照符号２３１０に示したバーのようなサービス制限モードに関連した細部メニュー画面を表示する。そうすると、管理者は、上記細部メニューを通じて希望するサービス制限モードに関連した設定を変更できる。
【０２３６】
この際、上記図２３では‘管理者登録’メニュー選択による手順を説明する。すなわち、管理者が上記細部メニューの中の‘管理者登録’メニューを選択すれば、携帯端末機は、上記‘管理者登録’メニュー選択に応答して、参照符号２３２１に示したように、管理者登録のための初期画面を表示する。
【０２３７】
次に、管理者は、所定の身長入力などの動作を通じて、上記参照符号２３２１のように、表示される管理者登録項目の中のどれか一つを選択できる。そうすると、上記携帯端末機は、参照符号２３２３に示したように、上記管理者により選択された管理者登録項目に対して情報を入力できる画面を表示できる。
【０２３８】
これに応答し、管理者は、上記参照符号２３２３と同じ情報入力ウィンドウを通じて、登録しようとする管理者の情報、例えば名前、電話番号などの入力を完了し、それに対する貯蔵を要請する。この際、上記管理者の情報の中の電話番号に対しては、ＳＭＳを受信することができる電話番号を入力することが望ましい。
【０２３９】
すなわち、本発明によると、上記ＳＭＳを管理者に伝送することによって、ＷＡＢ（ＷＡＰ）に接続せずにＳＭＳのみを伝送するようにすることが望ましい。従って、上記管理者の電話番号は、携帯端末機の電話番号を入力することが望ましい。
【０２４０】
また上記のように、管理者に対するＳＭＳ伝送のためには、サービス制限モードで、管理者に登録される電話番号に対しては、発信／受信、ＳＭＳ送信などを許容するように自動設定することが望ましい。
【０２４１】
次に、携帯端末機は、上記のように、管理者から入力される情報の貯蔵が要請されると、参照符号２３３０に示したように、上記入力された情報をチェックし、既存に登録されている管理者情報に上記入力情報と同じ情報が存在するのか確認する。
【０２４２】
ここで、上記入力情報の同一性の判断は、上記入力される電話番号と既存に登録されている管理者の電話番号とを比較して判断することが望ましい。
【０２４３】
上記確認の結果、既存に登録されている管理者情報に上記入力情報と同じ情報が存在しなければ、上記携帯端末機は、参照符号２３４０に示したように、上記入力情報に対して保存した後、参照符号２３５０に示したように、登録されている管理者目録画面を表示する。上記確認の結果、既存に登録されている管理者情報に上記入力情報と同じ情報が存在すれば、上記携帯端末機は、参照符号２３６０に示したように、上記入力情報と同じ情報が存在することを案内メッセージなどにより提供できる。この際、上記携帯端末機は、上記の情報を上記案内メッセージと一緒に表示できる。以後、上記携帯端末機は、管理者要請に相応するか、又は所定時間が経過すれば、既存に登録されている管理者情報又は上記入力される管理者情報を、上記参照符号２３４０に示したように保存し、参照符号２３５０のように、登録されている管理者目録画面を表示する。
【０２４４】
また、上記図２３では、上記のように、管理者登録初期画面で、管理者を登録できる項目を選択する画面をまず図示したが、登録しようとする管理者情報、例えば名前、電話番号などを入力できる画面をまず提供して設定することができる。
【０２４５】
図２４ａ，ｂは、本発明に係る携帯端末機における、サービス制限モードに登録される電話番号及びそれに伴うショートカット番号を設定する例を示す図面である。
【０２４６】
特に、上記図２４ａ，ｂは、上記図１９に示したように、管理者がサービス制限モード進入に成功することによって表示されるサービス制限モードの細部メニュー画面と、上記細部メニューの‘ショートカット番号設定’メニュー選択による処理過程を示す図面である。
【０２４７】
ここで、サービス制限モードの細部メニューの中の上記‘ショートカット番号設定’メニューは、上記サービス制限モードに登録される電話番号に対し、ショートカット番号、例えば１乃至９番又はこれらの組み合わせに該当するショートカット番号に対応するように電話番号を各々マッピングした、ショートカット番号の貯蔵、登録、変更及び削除などを行うことができるメニューを示す。
【０２４８】
上記図２４ａ，ｂを参照すると、まず、管理者がサービス制限モード進入に成功すれば、携帯端末機は、参照符号２４１０に示したように、サービス制限モードに関連した細部メニュー画面を表示する。そうすると、管理者は、上記細部メニューを通じて、希望するサービス制限モードに関連した設定を変更できる。
【０２４９】
この際、上記図２４ａ，ｂでは、‘ショートカット番号設定’メニュー選択による手順を説明する。すなわち、管理者が上記細部メニューの中の‘ショートカット番号設定’メニューを選択すれば、携帯端末機は、上記‘ショートカット番号設定’メニュー選択に応答して、参照符号２４２１に示したように、ショートカット番号設定のための初期画面を表示する。
【０２５０】
上記参照符号２４２１のショートカット番号設定初期画面に示したように、サービス制限モードによって登録される電話番号に対するショートカット番号設定は、管理者による‘直接設定’、‘電話帳で選択’、及び‘スピードダイヤル（Speed Dial）適用’などに基づいて設定できる。
【０２５１】
この際、上記図２４ａ，ｂでは、上記ショートカット番号設定モードの中の、管理者が情報入力を通じて直接設定する上記‘直接設定’モードによる動作を説明する。すなわち、管理者は、所定の身長入力などの動作を通じて、上記参照符号２４２１のように、表示されるショートカット番号設定メニューの中の‘直接設定’メニューを選択できる。そうすると、上記携帯端末機は、参照符号２４２３に示したように、管理者の‘直接設定’メニュー選択によって、ショートカット番号のリスト、例えば１乃至９又はこれらを組み合わせわせたショートカット番号等のリストを表示できる。
【０２５２】
好ましくは、上記ショートカット番号のリストを表示する際に、ショートカット番号の追加である場合には、既にショートカット番号が登録されているショートカット番号に対しては、その表示を省略し、現在、空席なショートカット番号リストを表示できる。
【０２５３】
また、ショートカット番号に対する変更又は削除などの場合には、あらゆるショートカット番号リストを表示できる。
【０２５４】
次に、管理者は、上記参照符号２３４３のように表示されるショートカット番号等のリストで、登録しようとする所定のショートカット番号、例えば、２番を選択できる。そうすると、上記携帯端末機は、参照符号２４２５に示したように、上記管理者により選択されたショートカット番号に対応する情報を入力できる画面を表示できる。
【０２５５】
これに応答し、管理者は、上記参照符号２４２５のような情報入力ウィンドウを通じて、上記選択するショートカット番号‘２’に登録しようとする情報、例えば名前、電話番号などの入力を完了し、それに対する貯蔵を要請する。
【０２５６】
次に、携帯端末機は、上記のように、管理者から入力される情報の貯蔵が要請されると、参照符号２４３０に示したように、上記入力された情報の電話番号をチェックし、既存に登録されている電話番号の中に同じ電話番号を有する情報が存在するのか確認する。
【０２５７】
上記確認の結果、同じ電話番号がなければ、上記携帯端末機は、参照符号２４４０のように、上記入力情報に対して保存した後、参照符号２４５０のように、上記ショートカット番号‘２’に登録されている入力情報に対する確認画面を表示する。
【０２５８】
また、上記携帯端末機は、上記参照符号２４５０と同じ状態で所定時間が経過するか、又は管理者の要請によって、参照符号２４６０に示したように、ショートカット番号等のリスト画面へ移動して表示できる。この際、上記参照符号２４６０に示したように、上記ショートカット番号等のリストでは、上記の手順を通じてショートカット番号‘２’に登録されている情報が含まれる。
【０２５９】
上記確認の結果、同じ電話番号があれば、上記携帯端末機は、参照符号２４７０に示したように、上記入力電話番号と同じ電話番号が存在することを案内メッセージなどにより提供できる。この際、上記携帯端末機は、上記同じ電話番号に対する情報を上記案内メッセージと一緒に表示できる。以後、上記携帯端末機は、管理者要請に相応するか、又は所定時間が経過すれば、既存に登録されている電話番号及びそれに相応する情報、又は上記入力される電話番号及びそれに相応する情報を、上記参照符号２４４０のように保存し、参照符号２４５０のように、ショートカット番号‘２’に登録されている入力情報に対する確認画面を表示できる。
【０２６０】
また、上記図２４ａ，ｂでは、上記のように、ショートカット番号選択後、上記ショートカット番号に対応する情報を入力する順序で説明したが、所定ショートカット番号に登録しようとする情報、例えば電話番号などをまず入力し、上記入力された情報をショートカット番号にマッピングする順序で動作することができる。
【０２６１】
図２５は、本発明に係る携帯端末機における、サービス制限モードに登録される電話番号及びそれに伴うショートカット番号を設定する他の例を示す図面である。
【０２６２】
特に、上記図２５は、上記図２４ａ，ｂに示した‘ショートカット番号設定’メニューの中の’電話番号で選択’モードによるショートカット番号設定過程を示す図面である。
【０２６３】
上記図２５を参照すると、まず、管理者がサービス制限モード進入に成功すれば、携帯端末機は参照符号２５１０に示したようにサービス制限モードに関連した細部メニュー画面を表示する。そうすると、管理者は上記細部メニューを通じて希望するサービス制限モードに関連した設定を変更できる。
【０２６４】
この際、上記図２５では、サービス制限モード登録者を電話帳で選択して登録及びショートカット番号を指定する手順を説明する。すなわち、管理者が、上記細部メニューの中‘ショートカット番号設定’メニューを選択すれば、携帯端末機は、上記‘ショートカット番号設定’メニュー選択に応答して、参照符号２５２０に示したように、ショートカット番号設定のための初期画面を表示する。そうすると、管理者は、所定の身長入力などの動作を通じて、上記参照符号２５２０のように表示されるショートカット番号設定メニューの中の‘電話番号で選択’メニューを選択できる。
【０２６５】
上記携帯端末機は、上記‘電話番号で選択’メニュー選択によって、参照符号２５３０に示したように、ショートカット番号等のリスト、例えば１乃至９又はこれらを組み合わせわせたショートカット番号等のリストを表示できる。
【０２６６】
次に、管理者は、上記参照符号２５３０のように表示されるショートカット番号等のリストで、サービス制限モードに登録しようとする所定のショートカット番号、例えば２番を選択できる。
【０２６７】
これによって、上記携帯端末機は、参照符号２５４０に示したように、上記選択されたショートカット番号‘２’に追加しようとする情報を選択できる、電話帳に登録されているリストを表示する。そうすると、管理者は、上記電話帳に登録されているリストの中で、上記ショートカット番号‘２’に追加しようとする所定項目を選択できる。
【０２６８】
これに応答して、上記携帯端末機は、上記選択される項目を上記ショートカット番号‘２’に追加して保存し、参照符号２５５０に示したように、初期ショートカット番号等のリスト画面へ移動して表示できる。この際、上記参照符号２５５０に示したように、上記ショートカット番号等のリストでは、上記の手順を通じてショートカット番号‘２’に上記で追加された情報が含まれて表示される。
【０２６９】
図２６は、本発明に係る携帯端末機における、サービス制限モードに登録される電話番号及びそれに伴うショートカット番号を設定するもう一つの例を示す図面である。
【０２７０】
特に、上記図２６は、上記図２４ａ，ｂに示した‘ショートカット番号設定’メニューの中で‘Speed Dial適用’モードによるショートカット番号設定過程を示す図面である。
【０２７１】
上記図２６を参照すると、まず、管理者がサービス制限モード進入に成功すれば、携帯端末機は、参照符号２６１０に示したように、サービス制限モードに関連した細部メニュー画面を表示する。そうすると、管理者は、上記細部メニューを通じて希望するサービス制限モードに関連した設定を変更できる。
【０２７２】
この際、上記図２６では、サービス制限モード登録者を、上記図１８で説明したように、待機画面に形成されるスピードダイヤル機能を通じて設定した情報を用いてサービス制限モードに登録する手順を示す。すなわち、管理者が、上記細部メニュー中の‘Speed Dial適用’メニューを選択すれば、携帯端末機は、上記‘Speed Dial適用’メニュー選択に応答し、事前にスピードダイヤルに入力された情報があるのかをチェックする。
【０２７３】
上記チェックの結果、上記スピードダイヤルに入力された情報がない場合、上記携帯端末機は、参照符号２６３１に示したように、‘Speed Dialに設定したデータがありません。’などのような案内メッセージを出力する。以後、上記携帯端末機は、参照符号２６３３に示したように、ショートカット番号設定のための初期画面へ移動して表示できる。
【０２７４】
上記チェックの結果、上記スピードダイヤルに入力された情報が存在すれば、携帯端末機は、サービス制限モードに入力された情報があるのか判断する。上記判断の結果、サービス制限モードに入力された情報がない場合、上記携帯端末機は、参照符号２６４１に示したように、上記スピードダイヤルに入力された情報をローディングした後、参照符号２６４３のように、上記ローディングするスピードダイヤル入力情報を保存する。
【０２７５】
上記のように、携帯端末機は、スピードダイヤルに入力された情報をサービス制限モードに登録し、参照符号２６４５に示したように、上記サービス制限モードに登録されている情報を画面上に表示する。以後、上記携帯端末機は、サービス制限モードの登録が完了すれば、参照符号２６４７のように、ショートカット番号設定のための初期画面へ移動して表示できる。
【０２７６】
上記チェックの結果、上記スピードダイヤルに入力された情報が存在すれば、携帯端末機は、サービス制限モードに入力された情報があるのか判断する。上記判断の結果、サービス制限モードに入力された情報がある場合、上記携帯端末機は、参照符号２６５１に示したように、サービス制限モードに登録されているデータが削除されることを知らせるメッセージを出力する。
【０２７７】
すなわち、上記スピードダイヤルに入力された情報をサービス制限モードに適用することによって、上記サービス制限モードに登録されている既存情報が削除されることを知らせる警告メッセージ、例えば‘２〜９番のデータは削除されます。続けますか？’などのようなメッセージを出力する。
【０２７８】
これに応答して、管理者から削除要請が発生すれば、上記携帯端末機は、参照符号２６５３に示したように、サービス制限モードに登録されている既存情報を削除するとともに、上記スピードダイヤルに入力された情報をローディングした後、参照符号２６５５のように、上記ローディングするスピードダイヤル入力情報を保存する。
【０２７９】
上記のように、携帯端末機は、スピードダイヤルに入力された情報をサービス制限モードに更新し、参照符号２６５７に示したように、上記サービス制限モードに更新された情報を画面上に表示する。以後、上記携帯端末機は、サービス制限モードの登録が完了すれば、参照符号２６４７のように、ショートカット番号設定のための初期画面へ移動して表示できる。
【０２８０】
以上のように、本発明の詳細な説明における具体的な実施例に関して説明したが、本発明の思想から離れない範囲において色々な変形が可能である。したがって、本発明の範囲は説明された実施例に限定されなく、添付する特許請求の範囲のみでなく、この特許請求の範囲と均等なもの等により決まらなければならない。
【図面の簡単な説明】
【０２８１】
【図１】従来技術に係る移動通信網を示すブロック図である。
【図２】従来技術に係る携帯端末機における発信遮断方法を示すフロー図である。
【図３】本発明に係るサービス制限機能を有する携帯端末機の構成を示すブロック図である。
【図４】本発明に係る携帯端末機におけるサービス利用制限方法を示すフロー図である。
【図５】本発明に係る携帯端末機における発信制限手順を示すフロー図である。
【図６】本発明に係るサービス制限方法における発信操作手順を説明するための画面例を示す図面である。
【図７ａ】本発明に係るサービス制限方法における発信手順を説明するための他の画面例を示す図面である。
【図７ｂ】本発明に係るサービス制限方法における発信手順を説明するための他の画面例を示す図面である。
【図７ｃ】本発明に係るサービス制限方法における発信手順を説明するための他の画面例を示す図面である。
【図７ｄ】本発明に係るサービス制限方法における発信手順を説明するための他の画面例を示す図面である。
【図７ｅ】本発明に係るサービス制限方法における発信手順を説明するための他の画面例を示す図面である。
【図８ａ】本発明に係るサービス制限方法における発信手順を説明するためのさらに他の画面例を示す図面である。
【図８ｂ】本発明に係るサービス制限方法における発信手順を説明するためのさらに他の画面例を示す図面である。
【図９】本発明に係る携帯端末機における受信制限手順を示すフロー図である。
【図１０】本発明に係るサービス制限方法における受信操作手順を説明するための画面例を示す図面である。
【図１１】本発明に係るサービス制限方法を示すフロー図である。
【図１２】本発明の図１１に係るサービス制限方法の操作手順を示す図面である。
【図１３】本発明に係る携帯端末機のサービス制限方法における電話番号制限手順を示す図面である。
【図１４】本発明に係る携帯端末機における、電話番号リストに登録されている電話番号を削除する手順を示す図面である。
【図１５】本発明に係る携帯端末機における、普通の電話番号リストと発信許容電話番号リストの画面例を示す図面である。
【図１６ａ】本発明に係る携帯端末機のサービス制限機能におけるメニュー選択段階を示す図面である。
【図１６ｂ】本発明に係る携帯端末機のサービス制限機能におけるメニュー選択段階を示す図面である。
【図１６ｃ】本発明に係る携帯端末機のサービス制限機能におけるメニュー選択段階を示す図面である。
【図１６ｄ】本発明に係る携帯端末機のサービス制限機能におけるメニュー選択段階を示す図面である。
【図１７】本発明に係る携帯端末機のサービス制限方法における利用許容サービス登録手順を示すフロー図である。
【図１８】本発明に係る携帯端末機における、サービス制限方法の表示設定のための初期画面を示す図面である。
【図１９】本発明に係る携帯端末機における、サービス制限方法を稼動するためのサービス設定段階を示す図面である。
【図２０ａ】登録されたパスワードと入力されたパスワードが同一でない場合の進行段階を示す画面図である。
【図２０ｂ】登録されたパスワードと入力されたパスワードが同一でない場合の進行段階を示す画面図である。
【図２０ｃ】登録されたパスワードと入力されたパスワードが同一でない場合の進行段階を示す画面図である。
【図２１】本発明に係る携帯端末機のサービス制限方法におけるサービス制限モード設定及び解除の段階を示す画面図である。
【図２２】本発明に係る携帯端末機のサービス制限方法におけるパスワード変更手順を示す画面図である。
【図２３】本発明に係る携帯端末機のサービス制限方法における管理者登録手順を示す図面である。
【図２４ａ】本発明に係る携帯端末機のサービス制限方法における登録手順を示す図面である。
【図２４ｂ】本発明に係る携帯端末機のサービス制限方法における登録手順を示す図面である。
【図２５】本発明に係る携帯端末機のサービス制限方法における登録手順を示す図面である。
【図２６ａ】本発明に係る携帯端末機のサービス制限方法における登録手順を示す図面である。
【図２６ｂ】本発明に係る携帯端末機のサービス制限方法における登録手順を示す図面である。
【符号の説明】
【０２８２】
１１０    携帯端末機
１３０    ＢＳ
１５０    ＭＳＣ
１７０    ＶＬＲ
１９０    ＨＬＲ
３０１    制御部
３０３    無線周波数（ＲＦ）部
３０５    データ処理部
３０７    オーディオ処理部
３０９    キー入力部
３１１    メモリ
３１３    カメラ部
３１５    ビデオ処理部
３１７    表示部
３１９    サービス制限部
【図１】
2007282208.tif 000003
【図２】
2007282208.tif 000004
【図３】
2007282208.tif 000005
【図４】
2007282208.tif 000006
【図５】
2007282208.tif 000007
【図６】
2007282208.tif 000008
【図７ａ】
2007282208.tif 000009
【図７ｂ】
2007282208.tif 000010
【図７ｃ】
2007282208.tif 000011
【図７ｄ】
2007282208.tif 000012
【図７ｅ】
2007282208.tif 000013
【図８ａ】
2007282208.tif 000014
【図８ｂ】
2007282208.tif 000015
【図９】
2007282208.tif 000016
【図１０】
2007282208.tif 000017
【図１１】
2007282208.tif 000018
【図１２】
2007282208.tif 000019
【図１３】
2007282208.tif 000020
【図１４】
2007282208.tif 000021
【図１５】
2007282208.tif 000022
【図１６ａ】
2007282208.tif 000023
【図１６ｂ】
2007282208.tif 000024
【図１６ｃ】
2007282208.tif 000025
【図１６ｄ】
2007282208.tif 000026
【図１７】
2007282208.tif 000027
【図１８】
2007282208.tif 000028
【図１９】
2007282208.tif 000029
【図２０ａ】
2007282208.tif 000030
【図２０ｂ】
2007282208.tif 000031
【図２０ｃ】
2007282208.tif 000032
【図２１】
2007282208.tif 000033
【図２２】
2007282208.tif 000034
【図２３】
2007282208.tif 000035
【図２４ａ】
2007282208.tif 000036
【図２４ｂ】
2007282208.tif 000037
【図２５】
2007282208.tif 000038
【図２６ａ】
2007282208.tif 000039
【図２６ｂ】
2007282208.tif 000040